(57)【要約】  ショート物理ダウンリンク制御チャネル（ｓＰＤＣＣＨ）のためのリソースを設定するためのネットワークノードが提供される。ネットワークノードは、送信に関連付けられた少なくとも１つの特徴に基づいてｓＰＤＣＣＨのための時間リソースを決定するように、かつ、ｓＰＤＣＣＨのための時間リソースを使用してワイヤレスデバイスを設定するように構成された、処理回路要素を含む。【選択図】図１９
2020505881.tif 000002
【特許請求の範囲】
【請求項１】
ショート物理ダウンリンク制御チャネル（ｓＰＤＣＣＨ）のために、リソースを設定するためのネットワークノード（３０）であって、
処理回路要素（３４）を備え、前記処理回路要素（３４）は、
送信に関連付けられた少なくとも１つの特徴に基づいて前記ｓＰＤＣＣＨのための時間リソースを決定するように、かつ、
前記ｓＰＤＣＣＨのための前記時間リソースを使用してワイヤレスデバイス（４４）を設定するように、
設定される、
ネットワークノード（３０）。
【請求項２】
前記ｓＰＤＣＣＨのための時間リソースの前記決定は、サブスロットにおける前記ｓＰＤＣＣＨのシンボルの数を決定することを含む、請求項１に記載のネットワークノード（３０）。
【請求項３】
前記少なくとも１つの特徴は、参照信号オーバーヘッド、またはサブスロット長さを含む、請求項１または２に記載のネットワークノード（３０）。
【請求項４】
前記ｓＰＤＣＣＨのための前記時間リソースは、前記時間リソースについての参照信号オーバーヘッドを減少させるように設定される、請求項３に記載のネットワークノード（３０）。
【請求項５】
前記少なくとも１つの特徴は、前記ワイヤレスデバイス（４４）のためのサブスロットの事前に定義されたパターンを含む、請求項１から４のいずれか一項に記載のネットワークノード（３０）。
【請求項６】
前記少なくとも１つの特徴は、前記ワイヤレスデバイス（４４）のためのデータチャネルおよび／またはグラントについての送信モードを含む、請求項１から５のいずれか一項に記載のネットワークノード（３０）。
【請求項７】
前記処理回路要素（３４）は、
前記周波数リソースが前記ｓＰＤＣＣＨのための前記時間リソースとは独立に決定される、前記ｓＰＤＣＣＨのための周波数リソースを決定するように、かつ、
前記ｓＰＤＣＣＨのための前記周波数リソースを使用して前記ワイヤレスデバイス（４４）を設定するように、
さらに設定される、請求項１から６のいずれか一項に記載のネットワークノード（３０）。
【請求項８】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する、請求項７に記載のネットワークノード（３０）。
【請求項９】
前記処理回路要素（３４）は、
前記ｓＰＤＣＣＨのための時間リソースに基づいて、前記ｓＰＤＣＣＨのための周波数リソースを決定するように、かつ、
前記ｓＰＤＣＣＨのための前記周波数リソースを使用して、前記ワイヤレスデバイス（４４）を設定するように、
さらに設定される、請求項１から６のいずれか一項に記載のネットワークノード（３０）。
【請求項１０】
前記ｓＰＤＣＣＨは復調用参照信号（ＤＭＲＳ）に基づく、請求項１から９のいずれか一項に記載のネットワークノード（３０）。
【請求項１１】
前記ワイヤレスデバイス（４４）を設定することは、前記ｓＰＤＣＣＨのための前記時間リソースを使用してスケジューリンググラントまたは割り当てを送信することを含む、請求項１から１０のいずれか一項に記載のネットワークノード（３０）。
【請求項１２】
前記ｓＰＤＣＣＨは、２シンボルサブスロットに対応する２シンボルｓＰＤＣＣＨであるか、または前記ｓＰＤＣＣＨは、３シンボルサブスロットに対応する３シンボルｓＰＤＣＣＨである、請求項１から１１のいずれか一項に記載のネットワークノード（３０）。
【請求項１３】
前記ｓＰＤＣＣＨは、２シンボルＴＴＩのために設定されたダウンリンクサブフレームの一部であり、前記ダウンリンクサブフレームは、２シンボルｓＰＤＣＣＨおよび３シンボルｓＰＤＣＣＨの両方を含むように設定される、請求項１から１２のいずれか一項に記載のネットワークノード（３０）。
【請求項１４】
ショート物理ダウンリンク制御チャネル（ｓＰＤＣＣＨ）のために、ネットワークノード（３０）がリソースを設定するための方法であって、
送信に関連付けられた少なくとも１つの特徴に基づいて前記ｓＰＤＣＣＨのための時間リソースを決定すること（Ｓ１００）、および、
前記ｓＰＤＣＣＨのための前記時間リソースを使用してワイヤレスデバイス（４４）を設定すること（Ｓ１０２）、
を含む、方法。
【請求項１５】
前記ｓＰＤＣＣＨのための時間リソースの前記決定は、サブスロットにおける前記ｓＰＤＣＣＨのシンボルの数を決定することを含む、請求項１３に記載の方法。
【請求項１６】
前記少なくとも１つの特徴は、参照信号オーバーヘッド、またはサブスロット長さを含む、請求項１４または１５に記載の方法。
【請求項１７】
前記ｓＰＤＣＣＨのための前記時間リソースは、前記時間リソースについての参照信号オーバーヘッドを減少させるように設定される、請求項１６に記載の方法。
【請求項１８】
前記少なくとも１つの特徴は、サブスロットの事前に定義されたパターンを含む、請求項１４から１７のいずれか一項に記載の方法。
【請求項１９】
前記少なくとも１つの特徴は、前記ワイヤレスデバイス（４４）のためのデータチャネルおよび／またはグラントについての送信モードを含む、請求項１４から１８のいずれか一項に記載の方法。
【請求項２０】
前記周波数リソースが前記ｓＰＤＣＣＨのための前記時間リソースとは独立に決定される、前記ｓＰＤＣＣＨのための周波数リソースを決定すること、および、
前記ｓＰＤＣＣＨのための前記周波数リソースを使用して前記ワイヤレスデバイス（４４）を設定すること、
をさらに含む、請求項１４から１９のいずれか一項に記載の方法。
【請求項２１】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する、請求項２０に記載の方法。
【請求項２２】
前記ｓＰＤＣＣＨのための時間リソースに基づいて、前記ｓＰＤＣＣＨのための周波数リソースを決定すること、および、
前記ｓＰＤＣＣＨのための前記周波数リソースを使用して、前記ワイヤレスデバイス（４４）を設定すること、
をさらに含む、請求項１４から１９のいずれか一項に記載の方法。
【請求項２３】
前記ｓＰＤＣＣＨは復調用参照信号（ＤＭＲＳ）に基づく、請求項１４から２２のいずれか一項に記載の方法。
【請求項２４】
前記ｓＰＤＣＣＨは、２シンボルサブスロットに対応する２シンボルｓＰＤＣＣＨであるか、または前記ｓＰＤＣＣＨは、３シンボルサブスロットに対応する３シンボルｓＰＤＣＣＨである、請求項１４から２３のいずれか一項に記載の方法。
【請求項２５】
前記ｓＰＤＣＣＨは、２シンボルＴＴＩのために設定されたダウンリンクサブフレームの一部であり、前記ダウンリンクサブフレームは、２シンボルｓＰＤＣＣＨおよび３シンボルｓＰＤＣＣＨの両方を含むように設定される、請求項１４から２４のいずれか一項に記載の方法。
【請求項２６】
前記ワイヤレスデバイス（４４）を設定することは、前記ｓＰＤＣＣＨのための前記時間リソースを使用してスケジューリンググラントまたは割り当てを送信することを含む、請求項１４から２５のいずれか一項に記載の方法。
【請求項２７】
ショート物理ダウンリンク制御チャネル（ｓＰＤＣＣＨ）において示されるリソース上で送信するためのワイヤレスデバイス（４４）であって、
処理回路要素（４８）を備え、前記処理回路要素（４８）は、
前記ｓＰＤＣＣＨの時間リソース上の設定を受信するように設定され、前記時間リソースは送信に関連付けられた少なくとも１つの特徴に基づいており、
さらに前記処理回路要素（４８）は、
前記設定に従って送信するように設定される、
ワイヤレスデバイス（４４）。
【請求項２８】
前記ｓＰＤＣＣＨの前記時間リソースは、サブスロット内に前記ｓＰＤＣＣＨのいくつかのシンボルを含む、請求項２７に記載のワイヤレスデバイス（４４）。
【請求項２９】
前記少なくとも１つの特徴は参照信号オーバーヘッドまたはサブスロット長さを含む、請求項２７または２８に記載のワイヤレスデバイス（４４）。
【請求項３０】
前記ｓＰＤＣＣＨの前記時間リソースは、前記時間リソースについての参照信号オーバーヘッドを減少させるように設定される、請求項２９に記載のワイヤレスデバイス（４４）。
【請求項３１】
前記少なくとも１つの特徴は、前記ワイヤレスデバイス（４４）のための事前に定義されたパターンのサブスロットを含む、請求項２７から３０のいずれか一項に記載のワイヤレスデバイス（４４）。
【請求項３２】
前記少なくとも１つの特徴は、前記ワイヤレスデバイス（４４）のためのデータチャネルおよびグラントのうちの少なくとも１つについての送信モードを含む、請求項２７から３１のいずれか一項に記載のワイヤレスデバイス（４４）。
【請求項３３】
前記処理回路要素（４８）は、
前記ｓＰＤＣＣＨの周波数リソース上の前記設定を受信するようにさらに設定され、前記周波数リソースは前記ｓＰＤＣＣＨのための前記時間リソースとは独立に設定される、
請求項２７から３２のいずれか一項に記載のワイヤレスデバイス（４４）。
【請求項３４】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである、請求項３３に記載のワイヤレスデバイス（４４）。
【請求項３５】
処理回路要素（４８）は、
前記ｓＰＤＣＣＨの周波数リソース上の前記設定を受信するようにさらに設定され、前記周波数リソースは、前記ｓＰＤＣＣＨの前記時間リソースに基づいて設定される、
請求項２７から３２のいずれか一項に記載のワイヤレスデバイス（４４）。
【請求項３６】
前記ｓＰＤＣＣＨは復調用参照信号（ＤＭＲＳ）に基づく、請求項２７から３５のいずれか一項に記載のワイヤレスデバイス（４４）。
【請求項３７】
前記ｓＰＤＣＣＨは２シンボルサブスロットに対応する２シンボルｓＰＤＣＣＨであるか、または前記ｓＰＤＣＣＨは３シンボルサブスロットに対応する３シンボルｓＰＤＣＣＨである、請求項２７から３６のいずれか一項に記載のワイヤレスデバイス（４４）。
【請求項３８】
前記ｓＰＤＣＣＨは、２シンボルＴＴＩのために設定されたダウンリンクサブフレームの一部であり、前記ダウンリンクサブフレームは２シンボルｓＰＤＣＣＨおよび３シンボルｓＰＤＣＣＨの両方を含むように設定される、請求項２７から３７のいずれか一項に記載のワイヤレスデバイス（４４）。
【請求項３９】
前記受信される設定はスケジューリンググラントまたは割り当てを含む、請求項２７から３８のいずれか一項に記載のワイヤレスデバイス（４４）。
【請求項４０】
ショート物理ダウンリンク制御チャネル（ｓＰＤＣＣＨ）内に示されるリソース上でワイヤレスデバイス（４４）が送信するための方法であって、
前記ｓＰＤＣＣＨの時間リソース上の設定を受信すること（Ｓ１０４）であって、前記時間リソースは送信に関連付けられた少なくとも１つの特徴に基づく、前記ｓＰＤＣＣＨの時間リソース上の設定を受信すること（Ｓ１０４）、および、
前記設定に従って送信すること（Ｓ１０６）、
を含む、方法。
【請求項４１】
前記ｓＰＤＣＣＨの前記時間リソースは、サブスロット内に前記ｓＰＤＣＣＨのいくつかのシンボルを含む、請求項４０に記載の方法。
【請求項４２】
前記少なくとも１つの特徴は参照信号オーバーヘッドまたはサブスロット長さを含む、請求項４０または４１に記載の方法。
【請求項４３】
前記ｓＰＤＣＣＨの前記時間リソースは、前記時間リソースについての参照信号オーバーヘッドを減少させるように設定される、請求項４２に記載の方法。
【請求項４４】
前記少なくとも１つの特徴は、前記ワイヤレスデバイス（４４）のための事前に定義されたパターンのサブスロットを含む、請求項４０から４３のいずれか一項に記載の方法。
【請求項４５】
前記少なくとも１つの特徴は、前記ワイヤレスデバイス（４４）のための、データチャネルおよびグラントのうちの少なくとも１つについての送信モードを含む、請求項４０から４４のいずれか一項に記載の方法。
【請求項４６】
前記ｓＰＤＣＣＨの周波数リソース上の前記設定を受信することをさらに含み、前記周波数リソースは前記ｓＰＤＣＣＨのための前記時間リソースとは独立に設定される、請求項４０から４５のいずれか一項に記載の方法。
【請求項４７】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである、請求項４６に記載の方法。
【請求項４８】
前記ｓＰＤＣＣＨの周波数リソース上の前記設定を受信することをさらに含み、前記周波数リソースは、前記ｓＰＤＣＣＨの前記時間リソースに基づいて設定される、請求項４０から４５のいずれか一項に記載の方法。
【請求項４９】
前記ｓＰＤＣＣＨは復調用参照信号（ＤＭＲＳ）に基づく、請求項４０から４８のいずれか一項に記載の方法。
【請求項５０】
前記ｓＰＤＣＣＨは２シンボルサブスロットに対応する２シンボルｓＰＤＣＣＨであるか、または前記ｓＰＤＣＣＨは３シンボルサブスロットに対応する３シンボルｓＰＤＣＣＨである、請求項４０から４９のいずれか一項に記載の方法。
【請求項５１】
前記ｓＰＤＣＣＨは、２シンボルＴＴＩのために設定されたダウンリンクサブフレームの一部であり、前記ダウンリンクサブフレームは２シンボルｓＰＤＣＣＨおよび３シンボルｓＰＤＣＣＨの両方を含むように設定される、請求項４０から５０のいずれか一項に記載の方法。
【請求項５２】
前記受信される設定はスケジューリンググラントまたは割り当てを含む、請求項４０から５１のいずれか一項に記載の方法。
【請求項５３】
ショート物理ダウンリンク制御チャネル（ｓＰＤＣＣＨ）のためにリソースを設定するためのネットワークノード（３０）であって、
処理回路要素（３４）を備え、前記処理回路要素（３４）は、
前記ｓＰＤＣＣＨのためのリソースを決定するように設定され、前記リソースは少なくとも１つのショートリソースエレメントグループ（ｓＲＥＧ）を含み、各ｓＲＥＧは、セル特有の参照信号（ＣＲＳ）のためのリソースエレメント（ＲＥ）、および／またはＤＭＲＳベースｓＰＤＣＣＨ内で使用するための復調用参照信号（ＤＭＲＳ）を含む１つの直交周波数分割多重化（ＯＦＤＭ）シンボル内に、１つのリソースブロック（ＲＢ）を含み、
さらに前記処理回路要素（３４）は、
前記ｓＰＤＣＣＨのための前記リソースを使用してワイヤレスデバイス（４４）を設定するように設定される、
ネットワークノード（３０）。
【請求項５４】
前記少なくとも１つのｓＲＥＧは、ショート制御チャネルエレメント（ｓＣＣＥ）当たりいくつかのｓＲＥＧを含み、ｓＣＣＥ当たりの前記ｓＲＥＧの数は、２シンボルｓＰＤＣＣＨにおけるＤＭＲＳベースｓＰＤＣＣＨの場合は４であるか、または、３シンボルｓＰＤＣＣＨにおけるＤＭＲＳベースｓＰＤＣＣＨの場合は６である、請求項５３に記載のネットワークノード（３０）。
【請求項５５】
リソースは周波数リソースを含み、３シンボルｓＰＤＣＣＨ内のｓＣＣＥに使用される前記周波数リソースは、２シンボルｓＰＤＣＣＨ内のｓＣＣＥに使用される周波数リソースに対応する、請求項５３に記載のネットワークノード（３０）。
【発明の詳細な説明】
【技術分野】
【０００１】
本開示は無線通信に関し、特に、動的ショート物理ダウンリンク制御チャネル（ｓＰＤＣＣＨ）リソースの決定および修正のための方法、ネットワークノード、および無線デバイスに関する。
【背景技術】
【０００２】
パケットデータレイテンシは、ベンダ、オペレータ、およびさらにはエンドユーザが（速度テストアプリケーションを介して）定期的に測定する、性能メトリクスの１つである。新しいソフトウェアリリースまたはシステムコンポーネントを検証するとき、システムを展開するとき、およびシステムが商用運用中のときに、無線アクセスネットワークシステムの存続期間のすべての段階においてレイテンシ測定が行われる。
【０００３】
前世代の３ＧＰＰ  ＲＡＴよりも短いレイテンシは、ロングタームエボリューション（ＬＴＥ）の設計を誘導した１つの性能メトリクスであった。ＬＴＥは現在、エンドユーザによって、前世代の移動無線技術よりも高速なインターネットへのアクセスおよびより低いデータレイテンシを提供するシステムであるものとも認識されている。
【０００４】
パケットデータレイテンシは、システムの知覚応答にとって重要なだけではなく、システムのスループットに間接的に影響を及ぼすパラメータでもある。ＨＴＴＰ／ＴＣＰは、現在のインターネットで用いられる、主要なアプリケーションおよびトランスポート層プロトコルスイートである。インターネットを介するＨＴＴＰベーストランザクションの典型的なサイズは、数十キロバイトから１メガバイトまでの範囲である。このサイズ範囲内では、ＴＣＰスロースタート期間は、パケットストリームの全トランスポート期間のうちの重要な部分である。ＴＣＰスロースタートの間、性能はレイテンシで制限されている。したがってレイテンシが向上すると、このタイプのＴＣＰベースのデータトランザクションの場合、平均スループットが容易に向上することがわかる。
【０００５】
無線リソース効率は、レイテンシの低減によってプラスの影響を受けることができる。パケットデータレイテンシが下がることで、ある遅延限界内で可能な送信の数／量を増加させることが可能であり、したがって、無線リソースを解放し、潜在的にシステムの容量を向上させるデータ送信のために、より高いブロック誤り率（ＢＬＥＲ）ターゲットを用いることができる。
【０００６】
パケットレイテンシを低減させるときに対処する１つの分野は、送信時間間隔（ＴＴＩ）の長さに対処することによる、データのトランスポート時間の削減およびシグナリングの制御である。ＬＴＥリリース８において、ＴＴＩは１ミリ秒長さの１サブフレーム（ＳＦ）に対応する。こうした１つの１ｍｓのＴＴＩは、通常のサイクリックプレフィックスの場合、１４の直交周波数分割多重化（ＯＦＤＭ）または単一キャリア周波数分割多元アクセス（ＳＣ−ＦＤＭＡ）シンボルを使用すること、および、拡張サイクリックプレフィックスの場合、１２のＯＦＤＭまたはＳＣ−ＦＤＭＡシンボルを使用することによって、構築される。
【０００７】
現在のところ、３ＧＰＰにおける研究（ＲＰ−１６１２９９を参照）は、「ショートＴＴＩ」または「ｓＴＴＩ」動作の標準化に関して進行しており、スケジューリングおよび送信は、より高速の時間スケールで実行可能である。したがって、レガシーＬＴＥサブフレームはいくつかのｓＴＴＩに細分化される。ショートＴＴＩは、本来、ＬＴＥサブフレームよりも短い送信持続時間を指す。サポートされるより短い送信持続時間は２、３、および７個のＯＦＤＭシンボルの長さである。２または３個のＯＦＤＭシンボルの送信持続時間はサブスロット送信とも呼ばれ、７個のＯＦＤＭシンボルの送信持続時間はスロットと呼ばれる。ネットワークノードからワイヤレスデバイスまでなどのダウンリンク（ＤＬ）におけるデータ送信は、ショート物理ダウンリンク共有チャネル（ｓＰＤＳＣＨ）を介してｓＴＴＩごとに発生し得、制御領域ショートダウンリンク制御チャネル（ｓＰＤＣＣＨ）を含み得る。アップリンク（ＵＬ）において、データは、ショート物理アップリンク共有チャネル（ｓＰＵＳＣＨ）を介してｓＴＴＩごとにワイヤレスデバイスからネットワークノードへと送信され、制御はショート物理アップリンク制御チャネル（ｓＰＵＣＣＨ）を介して送信可能である。
【０００８】
ワイヤレスデバイスへのＵＬまたはＤＬにおいてｓＴＴＩをスケジューリングするために、異なる代替が可能である。一代替において、個別のワイヤレスデバイスは、無線リソース制御（ＲＲＣ）設定を介してショートＴＴＩのためのｓＰＤＣＣＨ候補に関する情報を受信し、ショートＴＴＩのための制御チャネル、すなわちｓＰＤＣＣＨをどこで探せばよいかをワイヤレスデバイスに伝える。ｓＴＴＩのためのＤＣＩは、実際には、ｓＰＤＣＣＨに直接含まれる。別の代替において、ｓＴＴＩのためのＤＣＩは、ＰＤＣＣＨにおいて送信される低速ＤＣＩおよびｓＰＤＣＣＨにおいて送信される高速ＤＣＩという、２つの部分に分割される。低速グラントは、ショートＴＴＩ動作に使用されるべきＤＬおよびＵＬのショートＴＴＩ帯域についての周波数割り振りを含み、ｓＰＤＣＣＨ候補ロケーションに関する改良点も含むことが可能である。
【０００９】
３ＧＰＰロングタームエボリューション（ＬＴＥ）技術は、モバイルブロードバンドワイヤレス通信技術であり、基地局（ｅＮＢまたはネットワークノードと呼ばれる）から移動局（ユーザ機器（ＵＥ）またはワイヤレスデバイスと呼ばれる）への送信は、直交周波数分割多重化（ＯＦＤＭ）を用いて送信される。ＯＦＤＭは信号を、周波数において複数の平行サブキャリアに分割する。ＬＴＥにおける送信の基本単位はリソースブロック（ＲＢ）であり、ＲＢは、最も一般的な設定では、通常のサイクリックプレフィックスの場合、１２のサブキャリアおよび７個のＯＦＤＭシンボル（１つのスロット）からなる。拡張サイクリックプレフィックスの場合、ＲＢは、時間領域内の６個のＯＦＤＭシンボルからなる。物理リソースブリック（ＰＲＢ）も、物理リソースにおけるＲＢを示すための一般的な用語である。同じ１２のサブキャリアを使用する同じサブフレーム内の２つのＰＲＢは、ＰＲＢペアと示される。これは、ＬＴＥにおいてスケジューリング可能な最小リソース単位である。
【００１０】
１つのサブキャリアおよび１つのＯＦＤＭシンボルの単位は、リソースエレメント（ＲＥ）と呼ばれ、図１を参照されたい。したがって、ＰＲＢは８４個のＲＥからなる。ＬＴＥ無線サブフレームは、図２に示されるように、ＰＲＢの数がシステムの帯域幅を決定する、周波数方向の複数のリソースブロック、および時間方向の２つのスロットから構成される。
【００１１】
時間領域において、ＬＴＥダウンリンク送信は、１０ｍｓの無線フレームで編成され、各無線フレームは、Ｔｓｕｂｆｒａｍｅ＝１ｍｓ長さの、１０個の等しいサイズのサブフレームからなる。
【００１２】
ユーザへの無線リンクを介して送信されるメッセージは、広義には制御メッセージまたはデータメッセージに分類することができる。制御メッセージは、システムの適切な動作、ならびにシステム内の各ワイヤレスデバイスの適切な動作を、容易にするために用いられる。制御メッセージは、ワイヤレスデバイスから送信されるパワー、内部でデータがワイヤレスデバイスによって受信されるかまたはワイヤレスデバイスから送信されるべきＲＢのシグナリングなどの、機能を制御するためのコマンドを含むことができる。
【００１３】
Ｒｅｌ−８において、サブフレーム内の第１の１から４までのＯＦＤＭシンボルは、図２に示されるように、設定に応じてこうした制御情報を含むように予約される。さらに、Ｒｅｌ−１１において、拡張制御チャネルが導入され（ＥＰＤＣＣＨ）、ＰＲＢペアは、排他的にＥＰＤＣＣＨ送信を含むように予約されるが、Ｒｅｌ−１１より前のリリースのワイヤレスデバイスへの制御情報を含む可能性のある１から４までの第１のシンボルを、ＰＲＢペアから除外している。図３の例を参照されたい。
【００１４】
したがって、ＰＤＳＣＨ送信と時分割多重化されるＰＤＣＣＨに反して、ＥＰＤＣＣＨはＰＤＳＣＨ送信と周波数分割多重化される。ＰＤＳＣＨ送信のためのリソース割り振り（ＲＡ）は、ダウンリンク制御情報（ＤＣＩ）フォーマットに応じていくつかのＲＡタイプで存在する。いくつかのＲＡタイプは、最小スケジューリング細分性のリソースブロックグループ（ＲＢＧ）を有する。ＴＳ３６．２１１を参照のこと。ＲＢＧは（周波数において）近接するリソースブロックのセットであり、ワイヤレスデバイスをスケジューリングするとき、ワイヤレスデバイスには、個別のＲＢではなくＲＢＧによってリソースが割り振られる。
【００１５】
ワイヤレスデバイスがＥＰＤＣＣＨからのダウンリンクにおいてスケジューリングされるとき、ワイヤレスデバイスは、ＤＬ割り当てを搬送するＰＲＢペアはリソース割り振りから除外されること、すなわちレートマッチングが適用することを想定するものとする。たとえば、ワイヤレスデバイスが、サイズ３の近接するＰＲＢペアのあるＲＢＧ内でスケジューリングされたＰＤＳＣＨであり、これらのＰＲＢペアのうちの１つがＤＬ割り当てを含む場合、ワイヤレスデバイスは、ＰＤＳＣＨがＲＢＧ内の残りの２つＰＲＢペアにおいてのみ送信されることを想定するものとする。ＰＲＢペア内のＰＤＳＣＨおよび任意のＥＰＤＣＣＨ送信の多重化は、Ｒｅｌ−１１においてサポートされていないことも留意されたい。
【００１６】
ＰＤＣＣＨおよびＥＰＤＣＣＨは、いくつかのユーザ機器（ＵＥ）間で共有される無線リソースを介して送信される。各ＰＤＣＣＨは、（ＰＤＣＣＨが利用しているＣＣＥの番号を制御することによって）リンク適合を可能にするために、制御チャネルエレメント（ＣＣＥ）として知られるより小さな部分からなる。ＰＤＣＣＨについて、ワイヤレスデバイスは、ワイヤレスデバイス特有の検索スペースについて、４つのアグリゲーションレベルのＣＣＥ、すなわち１、２、４、および８、ならびに、共通検索スペースについて、２つのアグリゲーションレベルのＣＣＥ、すなわち４および８を、監視しなければならないことが指定される。
【００１７】
ＴＳ３６．２１３の第９．１．１項において、アグリゲーションレベルＬ∈｛１，２，４，８｝での検索スペース
2020505881.tif 000003
が、
2020505881.tif 000004
によって与えられるＣＣＥの連続セットによって定義され、上式で、ＮＣＣＥ，ｋは、サブフレームｋの制御領域内のＣＣＥの総数であり、
2020505881.tif 000005
は、検索スペースの開始点を定義し、ｉ＝０，１，．．．，Ｍ（Ｌ）・Ｌ−１であり、Ｍ（Ｌ）は所与の検索スペース内で監視するためのＰＤＣＣＨの数である。各ＣＣＥは３６のＱＰＳＫ変調シンボルを含む。Ｍ（Ｌ）の値は、下記で示すように、３６．２１３における表９．１．１−１によって指定される。
2020505881.tif 000006
【００１８】
この定義によれば、異なるアグリゲーションレベルについての検索スペースは、システム帯域幅に関係なく互いに重複してよい。より具体的に言えば、ワイヤレスデバイス特有の検索スペースおよび共通検索スペースは重複し得、異なるアグリゲーションレベルについての検索スペースは重複し得る。合計９つのＣＣＥが存在し、ＰＤＣＣＨ候補間で非常に頻繁に重複する、下記の一例を参照されたい。
例１：Ｌ＝｛１，２，４，８｝の場合、それぞれ、ＮＣＣＥ，ｋ＝９であり、
2020505881.tif 000007
である。
2020505881.tif 000008
【００１９】
制御情報のチャネル符号化、スクランブル、変調、およびインターリーブの後、変調されたシンボルは制御領域内のリソースエレメントにマッピングされる。多重ＰＤＣＣＨを制御領域へと多重化するために、制御チャネルエレメント（ＣＣＥ）が定義され、各ＣＣＥは３６のリソースエレメントにマッピングされる。１つのＰＤＣＣＨは、情報ペイロードサイズおよびチャネル符号化保護の必須レベルに応じて、１、２、４、または８のＣＣＥからなることが可能であり、この番号は、ＣＣＥアグリゲーションレベル（ＡＬ）として示される。アグリゲーションレベルを選択することによって、ＰＤＣＣＨのリンク適合が取得される。全体で、サブフレーム内で送信されるべきすべてのＰＤＣＣＨに使用可能なＮＣＣＥ個のＣＣＥが存在し、数ＮＣＣＥは、制御シンボルの数ｎおよび設定されるアンテナポートの数に応じて、サブフレームごとに異なる。
【００２０】
ＮＣＣＥがサブフレームごとに異なるため、ワイヤレスデバイスは、そのＰＤＣＣＨに用いられるＣＣＥの位置および数をブラインド決定する必要があり、これは計算を多用する復号タスクであり得る。したがって、可能なブラインド復号の数には、ワイヤレスデバイスが経験する必要のある何らかの制約が導入されている。たとえば、ＣＣＥは番号付けされており、図４に示されるように、サイズＫのＣＣＥアグリゲーションレベルは、Ｋで均等に割り切れるＣＣＥ数でのみ開始可能である。
【００２１】
ワイヤレスデバイスが有効なＰＤＣＣＨについてブラインド復号および検索を必要とする、ＣＣＥによって形成される候補制御チャネルのセットは、検索スペースと呼ばれる。これは、ＡＬ上のＣＣＥのセットであり、ワイヤレスデバイスは、スケジューリング割り当てまたは他の制御情報を監視すべきである。図５の例を参照されたい。各サブフレーム内、および各ＡＬ上で、ワイヤレスデバイスは、その検索スペースにおいてＣＣＥから形成可能なすべてのＰＤＣＣＨを復号するよう試行することになる。巡回冗長検査（ＣＲＣ）がチェックする場合、ＰＤＣＣＨのコンテンツはワイヤレスデバイスにとって有効であるものと想定され、受信した情報をさらに処理する。２つまたはそれ以上のワイヤレスデバイスがしばしば検索スペースと重複し、ネットワークは、それらのうちの１つを制御チャネルのスケジューリングのために選択しなければならない。このことが起こると、スケジューリングされていないワイヤレスデバイスはブロックされるべきであると言われる。検索スペースは、このブロックの可能性を最小限にするために、サブフレームごとに擬似ランダムに変動する。
【００２２】
検索スペースは、共通部分とワイヤレスデバイス特有の部分とにさらに分割される。共通検索スペースでは、ワイヤレスデバイスのすべてまたはグループに対する情報を含むＰＤＣＣＨが送信される（ページング、システム情報など）。キャリアアグリゲーションが用いられる場合、ワイヤレスデバイスは１次コンポーネントキャリア（ＰＣＣ）上のみに存在する共通検索スペースを見つけることになる。共通検索スペースは、セル内のすべてのワイヤレスデバイスに対して十分なチャネル符号保護を与えるために（ブロードキャストチャネルであるため、リンク適合は使用できない）、アグリゲーションレベル４および８に制限されている。それぞれ、８または４のＡＬにおけるｍ８およびｍ４の第１のＰＤＣＣＨ（最低ＣＣＥ番号）は、共通検索スペースに属する。システム内でのＣＣＥの効率的な使用のために、残りの検索スペースは各アグリゲーションレベルにおいてワイヤレスデバイス特有である。
【００２３】
図５は、あるワイヤレスデバイスが監視する必要のある検索スペース（網掛けで示される）を示す、例示的スケッチである。全体で、この例ではＮＣＣＥ＝１５のＣＣＥが存在し、共通検索スペースは網掛けでマークされている。
【００２４】
ＣＣＥは、このＣＣＥに固有の３６のＲＥにマッピングされた、３６のＱＰＳＫ変調シンボルからなる。ダイバーシティおよび干渉ランダム化を最大にするために、ＲＥへのセル特有のサイクリックシフトおよびマッピングの前に、すべてのＣＣＥのインターリーブが用いられる。図６の処理ステップを参照されたい。特に、すべてのＰＤＣＣＨがＣＣＥに構造化される（ブロックＳ１００）。スクランブルおよび変調が実行される（ブロックＳ１０２）。層マッピングおよび送信ダイバーシティが実行される（ブロックＳ１０４）。四重ベースのインターリーブが実行される（ブロックＳ１０６）。セルＩＤに基づくサイクリックシフトが実行される（ブロックＳ１０８）。リソースエレメントグループ（ＲＥＧ）のマッピングが実行される（ブロックＳ１１０）。
【００２５】
ほとんどの場合、ワイヤレスデバイス検索スペースおよびアグリゲーションレベルに対するＰＤＣＣＨロケーション制約に起因して、いくつかのＣＣＥは空であることに留意されたい。空のＣＣＥは、検索スペース構造を維持するために、任意の他のＰＤＣＣＨと同様にインターリーブプロセスおよびＲＥへのマッピングに含められる。空のＣＣＥはゼロパワーに設定され、代わりにこのパワーは、ＰＤＣＣＨ送信をさらに強化するために空ではないＣＣＥによって使用可能である。
【００２６】
さらに、４アンテナＴＸダイバーシティの使用を可能にするために、ＣＣＥにおける４つの近接ＱＰＳＫシンボルのグループが、ＲＥグループ（ＲＥＧ）と示される４つの近接ＲＥにマッピングされる。したがって、ＣＣＥインターリーブは四重（４のグループ）ベースであり、マッピングプロセスは１ＲＥＧの細分性を有し、１つのＣＣＥは９のＲＥＧに対応する（＝３６ＲＥ）。
【００２７】
一般に、システム帯域幅内でＰＤＣＣＨに使用可能なＲＥＧの数は、通常、９ＲＥＧの偶数倍ではないため、サイズＮＣＣＥのＣＣＥのセットが決定された後、余剰として残るＲＥＧ（余剰ＲＥＧは常に３６ＲＥよりも少ないが）の集合も存在することになる。これらの余剰ＲＥＧは、システムによって使用されずにＬＴＥ内に存在する。
【００２８】
ＰＤＣＣＨの場合と同様に、ＥＰＤＣＣＨは、複数のワイヤレスデバイスによって共有される無線リソースを介して送信され、拡張ＣＣＥ（ｅＣＣＥ）はＰＤＣＣＨのためのＣＣＥと等価であるとして導入される。ｅＣＣＥは固定数のＲＥも有するが、多くのＲＥがＣＲＳおよびＣＳＩ−ＲＳなどの他の信号によって占有されているため、ＥＰＤＣＣＨマッピングに使用可能なＲＥの数は、一般に、この固定数よりも少ない。ｅＣＣＥに属するＲＥが、ＣＲＳ、ＣＳＩ−ＲＳなどの他の衝突信号、レガシー制御領域、またはＴＤＤの場合はＧＰおよびＵｐＰＴＳを含む場合は必ず、符号チェーンレートマッチングが適用される。
【００２９】
図７の例を考察すると、（ａ）は、ＣＣＥが常に使用可能なＲＥからなるように、ＣＲＳを回避するＰＤＣＣＨマッピングを示す。（ｂ）では、ｅＣＣＥが名目上どのように３６のＲＥからなるかが示されるが、使用可能なＲＥの数は、衝突信号、したがってＥＰＤＣＣＨのためのＲＥが存在する場合よりも少ない。衝突信号はサブフレームに依存するため、その値もサブフレームに依存することになり、衝突がｅＣＣＥに対して不規則に影響を及ぼす場合、異なるｅＣＣＥに対して異なることさえもあり得る。
【００３０】
ＰＲＢペア当たりのｅＣＣＥの数が２である場合、ｅＣＣＥ当たりのＲＥの名目数は３６ではなく、通常および拡張のＣＰ長さについて、それぞれ７２または６４であることに留意されたい。
【００３１】
Ｒｅｌ−１１において、ＥＰＤＣＣＨはワイヤレスデバイス特有の検索スペースのみをサポートするが、同じサブフレーム内のＰＤＣＣＨにおいて、共通検索スペースは引き続き監視されるべきである。さらなるリリースにおいて、共通検索スペースはＥＰＤＣＣＨ送信のためにも導入され得る。
【００３２】
ワイヤレスデバイスは、示される制約と共に、ｅＣＣＥアグリゲーションレベル１、２、４、８、１６、および３２を監視することが指定される。
【００３３】
分散型送信において、ＥＰＤＣＣＨは最大Ｄ個までのＰＲＢペアのリソースエレメントにマッピングされ、Ｄ＝２、４、または８である（３ＧＰＰではＤ＝１６の値も考えられる）。このようにして、ＥＰＤＣＣＨメッセージについて周波数ダイバーシティが達成可能である。概略的な例は、図８を参照されたい。
【００３４】
図８は、分散型送信および周波数ダイバーシティまたはサブバンド事前符号化を達成するために、ＥＰＤＣＣＨに属する４部分を示すダウンリンクサブフレームが、ＰＲＢペアと呼ばれる複数の拡張制御領域にマッピングされることを示す。
【００３５】
局在化送信において、ＥＰＤＣＣＨは、スペースが許せば１つのＰＲＢペアのみにマッピングされる（アグリゲーションレベル１および２について、ならびに、通常のサブフレームおよび通常のＣＰ長さの場合、レベル４についても、常に可能である）。ＥＰＤＣＣＨのアグリゲーションレベルが大き過ぎる場合、第２のＰＲＢペアも使用され、ＥＰＤＣＣＨに属するすべてのｅＣＣＥがマッピングされるまで、さらに多くのＰＲＢペアが使用される、という具合である。局在化送信の例については、図９を参照されたい。
【００３６】
図９は、局在化送信を達成するために、ＥＰＤＣＣＨに属する４つのｅＣＣＥを示すダウンリンクサブフレームが、拡張制御領域のうちの１つにマッピングされることを示す。
【００３７】
一例として、通常のサブフレームにおいて、ならびに、通常のＣＰ長さおよびｎＥＰＤＣＣＨ≧１０４の場合、局在化送信はアグリゲーションレベル（１、２、４、８）を使用しており、それらはそれぞれ、（１、１、１、２）ＰＲＢペアにマッピングされる。
【００３８】
物理リソースへのｅＣＣＥのマッピングを容易にするために、各ＰＲＢペアは１６の拡張リソースエレメントグループ（ｅＲＥＧ）に分割され、各ｅＣＣＥは、それぞれ、通常および拡張のサイクリックプレフィックスについて、４または８個のｅＲＥＧに分割される。その結果、ＥＰＤＣＣＨは、アグリゲーションレベルに応じて、４または８の倍数のｅＲＥＧにマッピングされる。
【００３９】
ｅＰＤＣＣＨに属するこれらのｅＲＥＧは、単一のＰＲＢペア（局在化送信にとって典型的であるように）、または複数のＰＲＢペア（分散型送信にとって典型的であるように）の、いずれかに常駐する。ＰＲＢペアのｅＲＥＧへの正確な分割。
【００４０】
ｓＴＴＩについてのｓＰＤＣＣＨ：ｓＲＥＧおよびｓＣＣＥ設定設計
ショートＴＴＩ上で低レイテンシデータを即時にスケジューリングするために、新しいショートＰＤＣＣＨ（ｓＰＤＣＣＨ）を定義することができる。ショートＴＴＩ動作はレガシーＴＴＩ動作と共存することが望ましいため、ｓＰＤＣＣＨは、レガシーデータのためのリソースを残しながら、ＰＤＳＣＨ内の帯域内に配置されるべきである。
【００４１】
レガシー制御チャネルＰＤＣＣＨおよびＥＰＤＣＣＨは、それぞれ、セル特有の参照信号（ＣＲＳ）および復調参照信号（ＤＭＲＳ）復調を使用する。これらどちらの環境における動作の場合でも、ｓＰＤＣＣＨはＣＲＳおよびＤＭＲＳの両方をサポートするべきであり、効率的に維持するために、ｓＰＤＣＣＨによって使用されないリソースはｓＰＤＳＣＨ（ショートＰＤＳＣＨ）によって使用されるべきである。
【００４２】
リソースエレメントへのｓＰＤＣＣＨのマッピングの定義を容易にするために、特別なエンティティ、ｓＲＥＧおよびｓＣＣＥが定義される。これは、以前のセクションで説明したように、ＰＤＣＣＨおよびｅＰＤＣＣＨを定義するためにＬＴＥ仕様においてこれまで使用された方法論に従う。同じマッピングの定義が、これらの条件を使用せずに、または同等の条件を使用して、実行可能であることも留意されたい。
【００４３】
ｓＲＥＧ設定設計
時間領域内のｓＰＤＳＣＨについての主候補長さは、ｓＴＴＩ動作についての１または２つのＯＦＤＭシンボルである。ｓＴＴＩの所与のＯＦＤＭシンボルにおけるＰＲＢのＲＥは、１つまたは複数のｓＲＥＧを構築することができる。ｓＲＥＧにおけるＲＥの数は、割り振りの柔軟性を提供するため、および良好な周波数ダイバーシティをサポートするために、変動可能でもあり得る。
【００４４】
そのため、以下のように、ｓＰＤＣＣＨについて２つのｓＲＥＧ設定オプションが定義される。
ａ．ｓＲＥＧが１つのＯＦＤＭシンボル内のＰＲＢにおけるＲＥの完全数と共に構築される（すなわち、１つのＯＦＤＭシンボルのためのｓＲＥＧ当たり１２のＲＥ）ことを意味する、ＰＲＢベースｓＲＥＧ、または、
ｂ．１つのＯＦＤＭシンボル内のＰＲＢにおけるＲＥの数が分割され、ｓＲＥＧに割り当てられる（たとえば、ｓＲＥＧ当たり６つのＲＥ）ことを意味する、細分化されたＰＲＢベースｓＲＥＧ。
【００４５】
これら２つのｓＲＥＧ設定オプションは、１  ＯＦＤＭシンボルｓＰＤＣＣＨおよび２  ＯＦＤＭシンボルｓＰＤＣＣＨについて考察している図１０に示される。図１０における様々な文字は、異なるインデックスを示すために使用されており、たとえば、「Ａ」はインデックス０を指し、「Ｂ」はインデックス１を指し、「Ｃ」はインデックス２を指し、「Ｄ」はインデックス３を指し、その各々がｓＲＥＧグループを表す。これら２つのケースは、ｓＲＥＧ当たり１２のＲＥ（オプションａ）およびｓＲＥＧ当たり６つのＲＥ（オブションｂ）を含む。各インデックス、すなわち｛０，１，２，３｝は、ｓＲＥＧグループを表す。したがって、図に示されるように、１  ＯＦＤＭシンボルｓＰＤＣＣＨの場合、最大２つまでのｓＲＥＧグループが設定可能であり、２  ＯＦＤＭシンボルｓＰＤＣＣＨの場合、最大４つまでのｓＲＥＧグループが設定可能である。ｓＲＥＧは単一のＯＦＤＭシンボルにのみ及ぶことがわかる。これによって、ｓＰＤＣＣＨ設計を、時間領域内のより多くのＯＦＤＭシンボルへと容易に拡張することができる。この原理（すなわち、ｓＲＥＧが１つのＯＦＤＭシンボルのみに及ぶこと）に従い、ＯＦＤＭシンボルのリソースエレメントが、たとえば２つより多くのｓＲＥＧに分割されることになる、代替の細分化されたＰＲＢベースｓＲＥＧを考察することができる。しかし、異なる数のＯＦＤＭシンボルに適応可能な設計を達成するための必須方法は、ｓＲＥＧが単一のＯＦＤＭシンボルにのみ及ぶことである。
【００４６】
さらに、２  ＯＦＤＭシンボルｓＴＴＩについて早期に復号することの利点に起因して、１  ＯＦＤＭシンボルｓＰＤＣＣＨがＣＲＳベース送信について定義される。小さなｓＴＴＩ帯域を可能にすること、すなわち、ｓＴＴＩ動作に使用される周波数リソースの数を制限することの代替として、２  ＯＦＤＭシンボルｓＰＤＣＣＨは、２  ＯＦＤＭシンボルｓＴＴＩおよびスロットＴＴＩの両方についても設定可能である。
【００４７】
また、２  ＯＦＤＭシンボルｓＴＴＩを伴うＤＭＲＳベース送信の場合、レガシーＬＴＥの場合のように、時間領域内のＤＭＲＳペアに基づく設計を想定すると、ワイヤレスデバイスはチャネル推定のためにとにかくｓＴＴＩの終わりまで待機する必要があるため、２  ＯＦＤＭシンボルｓＰＤＣＣＨが定義される。その場合、ｓＴＴＩの所与のＰＲＢにおいて、ＤＭＲＳはｓＰＤＣＣＨとｓＰＤＳＣＨとの間で共有されない。これによって、ｓＰＤＣＣＨについてのビームフォーミングを適用することがより自由になる。
【００４８】
１スロットｓＴＴＩを伴うＤＭＲＳの場合、２シンボルｓＰＤＣＣＨが好適である。ｓＰＤＣＣＨおよび早期ｓＰＤＣＣＨ復号のためのチャネル推定を実行可能にするために、１スロットＴＴＩについて１つのＤＭＲＳペアが好ましい。それにより、ＤＭＲＳ、ＣＲＳ、またはＣＳＩ−ＲＳなどのｓＴＴＩ内の潜在的な参照信号の存在を考えると、ＰＲＢ内のこれらの信号によって占有されるそれらのＲＥは、所与のｓＲＥＧには使用されない。
【００４９】
ｓＣＣＥ設定設計
所与のｓＰＤＣＣＨについてｓＣＣＥを構築するために必要なｓＲＥＧの数、ならびに、ｓＴＴＩ動作に使用される周波数リソースに沿ったそれらの配置方式は、変動可能である。したがってｓＣＣＥは、ｅＣＣＥまたはＣＣＥと同様に、理想的には３６のＲＥによって構成されるように定義される。そのため、ｓＣＣＥは、ｓＰＤＣＣＨに割り当てられたＯＦＤＭシンボルの数に依拠して、ＰＲＢベースｓＲＥＧまたは細分化されたＰＲＢベースｓＲＥＧのいずれかによって構成される。
【００５０】
良好な周波数ダイバーシティまたはより局在化した配置をサポートするために、同じｓＣＣＥを構築するｓＲＥＧの局在化または分散型の配置方式が、以下のように定義される。
−局在化方式：制限付き周波数帯域内に限定されるｓＰＤＣＣＨリソース割り振りを可能にするために、同じｓＣＣＥを構築するｓＲＥＧを周波数領域内に局在させることが可能である。これにより、ＤＭＲＳベースｓＰＤＣＣＨのためにビームフォーミングを使用することが容易になる。
−分散型方式：周波数ダイバーシティ利得を可能にするために、分散型ｓＲＥＧロケーションを使用することが可能である。この場合、複数のＵＥは、異なるＲＥ上の同じＰＲＢにマッピングされたそれらのｓＰＤＣＣＨのｓＲＥＧを有し得る。広い周波数レンジにわたって分散させることにより、ｓＰＤＣＣＨを１つの単一のＯＦＤＭシンボル内により容易にフィットさせることにもなる。ＤＭＲＳベース復調を伴うＵＥの場合、分散型ｓＣＣＥロケーションを用いるユーザ特有のビームフォーミングは推奨されない。
【００５１】
これらの方式は、ＣＲＳおよびＤＭＲＳ送信に使用可能であり、１  ＯＦＤＭシンボルｓＰＤＣＣＨおよび２  ＯＦＤＭシンボルｓＰＤＣＣＨに基づいてｓＣＣＥを構築することについて以下で説明する。同様に、以下の検討事項も考慮することができる。
−ｓＰＤＣＣＨ設計が同じであるため、ＣＲＳおよびＤＭＲＳユーザは同じｓＴＴＩ上に共存可能である。
−ＣＲＳおよびＤＭＲＳユーザが同じＰＲＢにおいてＤＣＩを与えられる場合、ＣＲＳユーザはこれを用いて指示される必要がある。次いで、いくつかのＲＥがｓＣＣＥに使用されないことがわかる。そうでなければ、ＣＲＳおよびＤＭＲＳユーザには、異なるＰＲＢにおけるＤＣＩを送信しなければならない。
【００５２】
ｓＰＤＣＣＨに使用可能なＰＲＢの設定
ｓＰＤＣＣＨに使用可能なＰＲＢの少なくとも１つのセットが、ユーザごとに設定される。局在化されたｓＰＤＣＣＨマッピングに従ってＰＲＢの１つのセットを設定し、分散型マッピングを用いて別のセットを設定するように、ｓＰＤＣＣＨに使用されるＰＲＢのいくつかのセットの設定をサポートすることが推奨される。ＵＥは両方のセットを監視し、ｅＮＢは与えられたｓＴＴＩおよびＵＥから最も好ましい設定／ＰＲＢセットを選択することができる。
【００５３】
１つのケースにおいて、使用可能なｓＴＴＩ帯域からの（必ずしも連続していない）ＰＲＢを含むｓＰＤＣＣＨに割り当てられたＰＲＢのセットを、ＲＲＣシグナリングを介して設定可能である。しかしながら、これは、ＰＤＣＣＨ内で送信される低速ＤＣＩにおける潜在的なリソース割り振りの改良、たとえば、いくつかのｓＰＤＣＣＨセットが定義された場合のＰＲＢの縮小セットまたは特定セットを含む。本セクションで説明する方式の場合、および話を分かりやすくするために、ｓＰＤＣＣＨに対してネットワークノードによって１８  ＰＲＢのセット（必ずしも連続する物理ＰＲＢではない）が割り当てられる、１０ＭＨｚのシステム帯域幅（すなわち、５０ＰＲＢ）が想定される。しかしながら、すべての方式がさらに、すべてのシステム帯域幅を含むことができる。
【００５４】
１つのケースにおいて、ＰＲＢのセットは独立に、たとえばＰＲＢビットマップとして設定される。別のケースにおいて、セットはＰＲＢのグループに基づいて設定される。ＬＴＥにおいてＰＲＢのすでに定義されたグループの一例はＲＢＧと呼ばれ、ｓＰＤＣＣＨマッピングにおける基礎として使用可能である。そこで、同じＰＲＢグループ内のすべてのＰＲＢ、たとえばＲＢＧは、共同で使用される。
【００５５】
一実施形態において、設定されたＰＲＢセットに含められるＰＲＢまたはＰＲＢのグループは、ｓＰＤＣＣＨをそれらにマッピングする前に、ＵＥにシグナリングされたシーケンスに従って順序付けされ得る。
【００５６】
ＯＦＤＭシンボルｓＰＤＣＣＨ設定
図１０に示されるように、オプション２ａおよび２ｂは２  ＯＦＤＭシンボルｓＰＤＣＣＨに対応する。これに基づき、分散型のケースが図１１に、局在化のケースが図１２に示されている。各文字はＣＣＥを表す。これらのケースは最大８までのアグリゲーションレベル（すなわち、ｓＰＤＣＣＨ当たり最大８までのｓＣＣＥ）を含む。分散型のケースは、周波数領域内に規則的な分散を有し、局在化のケースは周波数領域内に局在化される（連続ＰＲＢ）。このケースはさらに、図１１および図１２に示される未使用のＰＲＢを、他のＵＥについて他のｓＣＣＥを構築するためにさらに割り当てることができること、ならびに、ｓＰＤＳＣＨ割り振りに使用される可能性を、さらに含むことができる。図１１および図１２に示されるＰＲＢインデックスは、ｓＰＤＣＣＨ  ＰＲＢセット（この例では、１８のＰＲＢのセット）内に数を表している。しかし、話を分かりやすくするために、物理ＰＲＢ数は示されていない。
【発明の概要】
【００５７】
いくつかの実施形態は、有利には、動的ｓＰＤＣＣＨリソース決定および修正のための、方法、ネットワークノード、およびワイヤレスデバイスを提供する。
【００５８】
本開示の一態様によれば、ショート物理ダウンリンク制御チャネル（ｓＰＤＣＣＨ）のために、リソースを設定するためのネットワークノードが提供される。ネットワークノードは、送信に関連付けられた少なくとも１つの特徴に基づいてｓＰＤＣＣＨのための時間リソースを決定するように、かつ、ｓＰＤＣＣＨのための時間リソースを使用してワイヤレスデバイスを設定するように、設定された、処理回路要素を含む。
【００５９】
本態様の一実施形態によれば、ｓＰＤＣＣＨのための時間リソースの決定は、サブスロットにおけるｓＰＤＣＣＨのシンボルの数を決定することを含む。一実施形態において、サブスロットはショート送信時間間隔（ｓＴＴＩ）である。本態様の一実施形態によれば、少なくとも１つの特徴は参照信号オーバーヘッド、またはサブスロット、長さを含む。本態様の一実施形態によれば、ｓＰＤＣＣＨのための時間リソースは、時間リソースについての参照信号オーバーヘッドを減少させるように設定される。
【００６０】
本態様の一実施形態によれば、少なくとも１つの特徴は、ワイヤレスデバイスのためのサブスロットの事前に定義されたパターンを含む。本態様の一実施形態によれば、少なくとも１つの特徴は、ワイヤレスデバイスのための、データチャネルおよび／またはグラントについての送信モードを含む。本態様の一実施形態によれば、処理回路要素は、周波数リソースがｓＰＤＣＣＨのための時間リソースとは独立に決定される、ｓＰＤＣＣＨのための周波数リソースを決定するように、かつ、ｓＰＤＣＣＨのための周波数リソースを使用してワイヤレスデバイスを設定するように、さらに設定される。
【００６１】
本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する。本態様の一実施形態によれば、処理回路要素は、ｓＰＤＣＣＨのための時間リソースに基づいてｓＰＤＣＣＨのための周波数リソースを決定するように、かつ、ｓＰＤＣＣＨのための周波数リソースを使用してワイヤレスデバイスを設定するように、さらに設定される。本態様の一実施形態によれば、ｓＰＤＣＣＨは復調用参照信号（ＤＭＲＳ）に基づく。
【００６２】
本態様の一実施形態によれば、ｓＰＤＣＣＨは、２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは、２シンボルｓＰＤＣＣＨおよび３シンボルｓＰＤＣＣＨの両方を含むように設定される。本態様の一実施形態によれば、ワイヤレスデバイス（４４）を設定することは、ｓＰＤＣＣＨのための時間リソースを使用してスケジューリンググラントまたは割り当てを送信することを含む。
【００６３】
本開示の別の態様によれば、ショート物理ダウンリンク制御チャネル（ｓＰＤＣＣＨ）のためにネットワークノードがリソースを設定するための方法が提供される。ｓＰＤＣＣＨのための時間リソースは、送信に関連付けられた少なくとも１つの特徴に基づいて決定され、ワイヤレスデバイスは、ｓＰＤＣＣＨのための時間リソースを使用して設定される。
【００６４】
本態様の一実施形態によれば、ｓＰＤＣＣＨのための時間リソースの決定は、サブスロットにおけるｓＰＤＣＣＨのシンボルの数を決定することを含む。本態様の一実施形態によれば、少なくとも１つの特徴は参照信号オーバーヘッド、またはサブスロット長さを含む。本態様の一実施形態によれば、ｓＰＤＣＣＨのための時間リソースは、時間リソースについての参照信号オーバーヘッドを減少させるように設定される。
【００６５】
本態様の一実施形態によれば、少なくとも１つの特徴は、サブスロットの事前に定義されたパターンを含む。本態様の一実施形態によれば、少なくとも１つの特徴は、ワイヤレスデバイスのための、データチャネルおよび／またはグラントについての送信モードを含む。本態様の一実施形態によれば、ｓＰＤＣＣＨのための周波数リソースを決定することが決定され、周波数リソースはｓＰＤＣＣＨのための時間リソースとは独立に決定され、および、ワイヤレスデバイスは、ｓＰＤＣＣＨのための周波数リソースを使用して設定される。
【００６６】
本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する。本態様の一実施形態によれば、ｓＰＤＣＣＨのための時間リソースに基づいてｓＰＤＣＣＨのための周波数リソースが決定され、および、ｓＰＤＣＣＨのための周波数リソースを使用してワイヤレスデバイスが設定される。本態様の一実施形態によれば、ｓＰＤＣＣＨは復調用参照信号（ＤＭＲＳ）に基づく。
【００６７】
本態様の一実施形態によれば、ｓＰＤＣＣＨは、２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは、２シンボルｓＰＤＣＣＨおよび３シンボルｓＰＤＣＣＨの両方を含むように設定される。本態様の一実施形態によれば、ワイヤレスデバイス（４４）を設定することは、ｓＰＤＣＣＨのための時間リソースを使用してスケジューリンググラントまたは割り当てを送信することを含む。
【００６８】
本開示の一態様によれば、ショート物理ダウンリンク制御チャネル（ｓＰＤＣＣＨ）において示されるリソース上で送信するためのワイヤレスデバイスが提供される。ワイヤレスデバイスは、時間リソースが送信に関連付けられた少なくとも１つの特徴に基づいている、ｓＰＤＣＣＨの時間リソース上の設定を受信するように、かつ、この設定に従って送信するように、設定された、処理回路要素を含む。
【００６９】
本態様の一実施形態によれば、ｓＰＤＣＣＨの時間リソースは、サブスロット内にいくつかのｓＰＤＣＣＨのシンボルを含む。本態様の一実施形態によれば、少なくとも１つの特徴は参照信号オーバーヘッドまたはサブスロット長さを含む。本態様の一実施形態によれば、ｓＰＤＣＣＨの時間リソースは、時間リソースについての参照信号オーバーヘッドを減少させるように設定される。本態様の一実施形態によれば、少なくとも１つの特徴は、ワイヤレスデバイスのための事前に定義されたパターンのサブスロットを含む。
【００７０】
本態様の一実施形態によれば、少なくとも１つの特徴は、ワイヤレスデバイスのための、データチャネルおよびグラントのうちの少なくとも１つについての送信モードを含む。本態様の一実施形態によれば、処理回路要素は、ｓＰＤＣＣＨについての周波数リソース上の設定を受信するようにさらに設定され、周波数リソースはｓＰＤＣＣＨの時間リソースとは独立に設定される。本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである。
【００７１】
本態様の一実施形態によれば、処理回路要素は、ｓＰＤＣＣＨの周波数リソース上の設定を受信するようにさらに設定され、周波数リソースは、ｓＰＤＣＣＨの時間リソースに基づいて設定される。本態様の一実施形態によれば、ｓＰＤＣＣＨは復調用参照信号（ＤＭＲＳ）に基づく。本態様の一実施形態によれば、ｓＰＤＣＣＨは２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは２シンボルｓＰＤＣＣＨおよび３シンボルｓＰＤＣＣＨの両方を含むように設定される。本態様の一実施形態によれば、受信される設定はスケジューリンググラントまたは割り当てを含む。
【００７２】
本開示の一態様によれば、ワイヤレスデバイスがショート物理ダウンリンク制御チャネル（ｓＰＤＣＣＨ）内に示されるリソース上で送信するための方法が提供される。ｓＰＤＣＣＨの時間リソース上で設定が受信され、時間リソースは送信に関連付けられた少なくとも１つの特徴に基づいている。送信は設定に従って実行される。
【００７３】
本態様の一実施形態によれば、ｓＰＤＣＣＨの時間リソースは、サブスロット内にいくつかのｓＰＤＣＣＨのシンボルを含む。本態様の一実施形態によれば、少なくとも１つの特徴は参照信号オーバーヘッドまたはサブスロット長さを含む。本態様の一実施形態によれば、ｓＰＤＣＣＨの時間リソースは、時間リソースについての参照信号オーバーヘッドを減少させるように設定される。本態様の一実施形態によれば、少なくとも１つの特徴は、ワイヤレスデバイスのための事前に定義されたパターンのサブスロットを含む。
【００７４】
本態様の一実施形態によれば、少なくとも１つの特徴は、ワイヤレスデバイスのための、データチャネルおよびグラントのうちの少なくとも１つについての送信モードを含む。本態様の一実施形態によれば、設定はｓＰＤＣＣＨの周波数リソース上で受信され、周波数リソースはｓＰＤＣＣＨの時間リソースとは独立に設定される。本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである。本態様の一実施形態によれば、設定はｓＰＤＣＣＨの周波数リソース上で受信され、周波数リソースは、ｓＰＤＣＣＨの時間リソースに基づいて設定される。
【００７５】
本態様の一実施形態によれば、ｓＰＤＣＣＨは復調用参照信号（ＤＭＲＳ）に基づく。本態様の一実施形態によれば、ｓＰＤＣＣＨは２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは２シンボルｓＰＤＣＣＨおよび３シンボルｓＰＤＣＣＨの両方を含むように設定される。本態様の一実施形態によれば、受信される設定はスケジューリンググラントまたは割り当てを含む。
【００７６】
本開示の一態様によれば、ショート物理ダウンリンク制御チャネル（ｓＰＤＣＣＨ）のためにリソースを設定するためのネットワークノードが提供される。ネットワークノードは、ｓＰＤＣＣＨのためのリソースを決定するように設定され、リソースは少なくとも１つのショートリソースエレメントグループ（ｓＲＥＧ）を含み、各ｓＲＥＧは、セル特有の参照信号（ＣＲＳ）のためのリソースエレメント（ＲＥ）、および／またはＤＭＲＳベースｓＰＤＣＣＨ内で使用するための復調用参照信号（ＤＭＲＳ）を含む１つの直交周波数分割多重化（ＯＦＤＭ）シンボル内に、リソースブロック（ＲＢ）を含み、さらに、ｓＰＤＣＣＨのためのリソースを使用してワイヤレスデバイスを設定するように設定された、処理回路要素を含む。
【００７７】
本態様の一実施形態によれば、少なくとも１つのｓＲＥＧは、ショート制御チャネルエレメント（ｓＣＣＥ）当たりいくつかのｓＲＥＧを含み、ｓＣＣＥ当たりのｓＲＥＧの数は、２シンボルｓＰＤＣＣＨにおけるＤＭＲＳベースｓＰＤＣＣＨの場合は４であるか、または、３シンボルｓＰＤＣＣＨにおけるＤＭＲＳベースｓＰＤＣＣＨの場合は６である。本態様の一実施形態によれば、リソースは周波数リソースを含み、３シンボルｓＰＤＣＣＨ内のｓＣＣＥに使用される周波数リソースは、２シンボルｓＰＤＣＣＨ内のｓＣＣＥに使用される周波数リソースに対応する。
【００７８】
添付の図面に関連して考察される下記の詳細な説明を参照することによって、本実施形態ならびにそれに伴う利点および特徴をより完全に理解することがより容易になるであろう。
【図面の簡単な説明】
【００７９】
【図１】時間周波数グリッドのブロック図である。
【図２】ダウンリンクサブフレームのブロック図である。
【図３】１０のＲＢペアおよび３つのｅＰＤＣＣＨ領域の設定を示す、ダウンリンクサブフレームのブロック図である。
【図４】ＣＣＥアグリゲーションのブロック図である。
【図５】ワイヤレスデバイスによって監視される検索スペースを示す、ブロック図である。
【図６】ＰＤＣＣＨ形成のための処理ステップのフロー図である。
【図７】ＣＣＥとｅＣＣＥとの間の相違を示すブロック図である。
【図８】ｅＰＤＣＣＨに属する４部分を有する、ダウンリンクサブフレームのブロック図である。
【図９】４つのｅＣＣＥの異なるマッピングを示す、ダウンリンクサブフレームのブロック図である。
【図１０】１  ＯＦＤＭシンボルについての、ＰＲＢベースｓＲＥＧおよび細分化されたＰＲＢベースｓＲＥＧのブロック図である。
【図１１】１８のＰＲＢのセットについての、２−ＯＦＤＭシンボルｓＰＤＣＣＨの分散型方式のブロック図である。
【図１２】２−ＯＦＤＭシンボルｓＰＤＣＣＨの局在化方式のブロック図である。
【図１３】２  ＯＦＤＭシンボルｓＴＴＩおよび異なるＰＤＣＣＨ長さについての、ＤＬサブフレーム内のｓＴＴＩのブロック図である。
【図１４】３ＯＦＤＭシンボルｓＰＤＣＣＨについての、ＰＲＢベースｓＲＥＧ（オプションａ）および細分化されたＰＲＢベースｓＲＥＧ（オプションｂ）のブロック図である。
【図１５】３−ＯＦＤＭシンボルｓＰＤＣＣＨの局在化方式のブロック図である。
【図１６】３−ＯＦＤＭシンボルｓＰＤＣＣＨの分散型方式のブロック図である。
【図１７】参照信号ＤＭＲＳおよびＣＳＩ−ＲＳによって占有されるＲＥを備えたＰＲＢの一例のブロック図である。
【図１８】本開示の原理に従った、例示的ネットワークノードのブロック図である。
【図１９】本開示の原理に従った、例示的ｓＰＤＣＣＨ修正プロセスのフロー図である。
【図２０】本開示の原理に従った、ネットワークノードの別の実施形態のブロック図である。
【図２１】本開示の原理に従った、ワイヤレスデバイスの例示的実施形態のブロック図である。
【図２２】本開示の原理に従った、例示的設定プロセスのフロー図である。
【図２３】本開示の原理に従った、ワイヤレスデバイスの別の実施形態のブロック図である。
【発明を実施するための形態】
【００８０】
詳細な例示的実施形態について詳細に説明する前に、本実施形態は主に、動的ショート物理ダウンリンク制御チャネル（ｓＰＤＣＣＨ）リソース決定および修正のための、方法、ネットワークノード、およびワイヤレスデバイスに関する、装置コンポーネントおよび処理ステップの組み合わせにおいて存在することに留意されたい。したがってコンポーネントは、適切であれば、図面内で従来のシンボルによって表されており、本明細書の説明から利益を得る当業者であれば容易に明らかになるような詳細によって本開示を不明瞭にすることがないように、本実施形態の理解に関する特定の詳細のみを示している。
【００８１】
本明細書で使用する場合、「第１の」および「第２の」、「頂部」および「底部」などの関係用語は、単に、エンティティまたはエレメントを別のエンティティまたはエレメントと、そうしたエンティティまたはエレメント間のいずれの物理的または論理的関係あるいは順序も、必ずしも必要としないかまたは示唆することなく、区別するために用いられ得る。本明細書で使用する場合、サブスロットはショート送信時間間隔（ｓＴＴＩ）に対応するため、サブスロットおよびｓＴＴＩは交換可能に使用される。いくつかの態様において、ショートＴＴＩはサブスロットまたはスロット持続時間送信、すなわちサブスロットまたはスロットＴＴＩを指し得る。ショートＴＴＩまたはサブスロットは、代替としてミニスロットとも呼ばれ得る。いくつかの例において、ショートＴＴＩは１から７のＯＦＤＭシンボルの持続時間、または０．５ｍｓ以下を有する。いくつかの例において、サブスロットまたはミニスロットは、１から６のＯＦＤＭシンボルの持続時間、たとえば、２または３のＯＦＤＭシンボルを有する。本開示のいずれの例も、ショートＴＴＩ、サブスロット、スロット、またはミニスロットに適用可能であるものと見なし得る。本開示の態様は、一般に、ショートＴＴＩ、サブスロット、またはミニスロットのための、（すなわちそれらにおける）物理ダウンリンク制御チャネルに適用可能である。
【００８２】
ショートＴＴＩのためのＤＬ制御チャネルのパラメータは、ｓＰＤＣＣＨ（ショートＴＴＩのためのＰＤＣＣＨ）と呼ばれ、本明細書において、より高位層のシグナリングを介して設定されるか、または事前に定義される。こうしたパラメータのうちの１つが、ｓＰＤＣＣＨに使用されるＯＦＤＭシンボルの数である。ｓＰＤＣＣＨのためのＯＦＤＭシンボルの数の事前設定は、ＤＭＲＳベースの送信モードまたは高い参照信号オーバーヘッドを考慮するｓＰＤＣＣＨ送信を動的に変更するような柔軟性を持たせることはない。
【００８３】
本開示は、１つまたは複数の実施形態において、サブフレーム内のショートＴＴＩパターンに依存して、および／または参照信号オーバーヘッドに依存して、および／または設定された送信モードに依存して、ｓＰＤＣＣＨのために事前に設定／事前に定義された値とは異なる数のＯＦＤＭシンボルを使用することによって、既存のシステムに伴う問題を解決する。さらに、本明細書で説明する方法は、設定されたＰＲＢのセット間でｓＰＤＣＣＨに使用されるＰＲＢを決定する。また、３  ＯＦＤＭシンボル長さのｓＰＤＣＣＨの場合の、リソースエレメント（ＲＥ）へのｓＰＤＣＣＨの柔軟なマッピングも説明する。１つまたは複数の実施形態において、本開示は、送信されるｓＴＴＩの実際の持続時間を考慮して、および／または参照信号オーバーヘッドを考慮して、ｓＰＤＣＣＨ送信の最適化を実行可能にする。
【００８４】
詳細な例示的実施形態について詳細に説明する前に、本実施形態は主に、動的ショート物理ダウンリンク制御チャネル（ｓＰＤＣＣＨ）決定および修正に関する、装置コンポーネントおよび処理ステップの組み合わせにおいて存在することに留意されたい。したがってコンポーネントは、適切であれば、図面内で従来のシンボルによって表されており、本明細書の説明から利益を得る当業者であれば容易に明らかになるような詳細によって本開示を不明瞭にすることがないように、本実施形態の理解に関する特定の詳細のみを示している。
【００８５】
本明細書で使用する場合、「第１の」および「第２の」、「頂部」および「底部」などの関係用語は、単に、エンティティまたはエレメントを別のエンティティまたはエレメントと、そうしたエンティティまたはエレメント間のいずれの物理的または論理的関係あるいは順序も、必ずしも必要としないかまたは示唆することなく、区別するために用いられ得る。
【００８６】
本開示全体を通じて、ｓＰＤＣＣＨパラメータは、ＬＴＥのためのＲＲＣなどのより高位層のシグナリングを介して事前に設定されるか、または、たとえばＬＴＥ仕様において事前に定義されることが想定される。典型的なｓＰＤＣＣＨパラメータは、ｓＰＤＣＣＨ送信に使用される時間リソース、たとえばＯＦＤＭシンボルの数である。例として、下記の説明において、ｓＰＤＣＣＨのために事前に設定されるかまたは事前に定義されるＯＦＤＭシンボル（ＯＳ）の数は２である。本開示は、ｓＰＤＣＣＨのためにデフォルトで事前に設定されるかまたは事前に定義されるＯＦＤＭシンボル（ＯＳ）の数が適用されない場合を説明する。上記で与えられた例を続けると、下記に列挙されるケースにおいて、ｓＰＤＣＣＨ送信に実際に使用されるＯＦＤＭシンボルの数を３に増加させる必要がある。これにより、使用される周波数リソースなどの他のｓＰＤＣＣＨ送信特徴に影響を与える。
【００８７】
ＴＴＩ長さに依存する（ｓＴＴＩパターンに依存する）制御チャネルマッピング
本開示の１つまたは複数の実施形態において、ｓＰＤＣＣＨ送信に使用される時間リソース（たとえば、ＯＦＤＭシンボル）の数に依存して、ｓＰＤＣＣＨのために異なる数の周波数リソース（たとえば、ＰＲＢ）が使用される。言い換えれば、１つまたは複数の実施形態において、ｓＰＤＣＣＨのための周波数リソースは、ｓＰＤＣＣＨに使用される時間リソースに基づく。これは特に、２  ＯＦＤＭシンボルのｓＴＴＩ長さ、すなわち、２シンボルｓＴＴＩまたは持続時間に設定されたＲＲＣを伴う、ＤＭＲＳベース送信の場合に有用である。これは、１ｍｓサブフレーム内のいくつかのｓＴＴＩについて、図１３に示されるＤＬパターン上で観察されるように、ＴＴＩ長さは、２  ＯＦＤＭシンボルではなく、実際には３  ＯＦＤＭシンボルであることが想定できる。したがって、３  ＯＦＤＭシンボル長さのｓＴＴＩについて、３  ＯＦＤＭシンボルｓＰＤＣＣＨが定義される。これにより、ビームフォーミングの柔軟性ならびにより高いリソース効率が可能になる。１つまたは複数の実施形態において、図１３に示される１つまたは複数のｓＴＴＩはｓＰＤＣＣＨを含む。１つまたは複数の実施形態において、図１３に示される各ｓＴＴＩ（たとえば、ｓＴＴＩ  ０〜５または０〜４）はｓＰＤＣＣＨを含む。したがって、１つまたは複数の実施形態において、ｓＰＤＣＣＨのためのＯＦＤＭシンボルの数、すなわち、制御チャネルマッピングまたはリソースは、ｓＴＴＩパターンまたはＴＴＩ長さなどの送信に関連付けられた少なくとも１つの特徴に基づく。
【００８８】
一実施形態において、第３のシンボルは、図１４に示されるように、各々、１２  ＲＥの１つの追加のＰＲＢベースｓＲＥＧまたは、６  ＲＥの２つの追加の細分化されたＰＲＢベースｓＲＥＧのいずれかを含むことができる。文字Ａ〜Ｄ、ＭおよびＮは、それぞれのｓＲＥＧグループを示す。
【００８９】
２シンボル長さのｓＰＤＣＣＨと同じＰＲＢを使用する３シンボル長さのｓＰＤＣＣＨ
一実施形態において、３  ＯＦＤＭシンボルに及ぶｓＰＤＣＣＨが送信される場合にｓＣＣＥに使用される周波数リソース（たとえば、ＰＲＢ）は、２  ＯＦＤＭシンボルに及ぶｓＰＤＣＣＨが送信される場合にｓＣＣＥに使用される周波数リソース（たとえば、ＰＲＢ）と同じである。言い換えれば、ｓＰＤＣＣＨが送信される場合にｓＣＣＥに使用される周波数リソース（たとえば、ＰＲＢ）は、所与のＴＴＩにおいてｓＰＤＣＣＨによって使用される時間リソース（たとえば、ＯＦＤＭシンボル）の数には依存しない。それらは予備ＲＲＣ設定にのみ依存する。
【００９０】
図１４と図１０を比較すると、３シンボルｓＴＴＩにおいてｓＰＤＣＣＨのために使用可能なＲＥの数は、２シンボルｓＴＴＩにおける数よりも多い。したがって、本実施形態は、結果として、ｓＣＣＥ当たりの、または一般にｓＰＤＣＣＨのための、ＲＥの数を増加させることになる。たとえば、２つのＰＲＢが２シンボルｓＴＴＩを備える１つのｓＣＣＥを構築する場合、同じマッピングを使用して、それらの２つのＰＲＢが３シンボルｓＴＴＩを備える１つのｓＣＣＥも同様に構築するものと定義することができる。
【００９１】
本実施形態はリソース効率が低い。しかしながら、ｓＣＣＥ当たりより多くのリソースを使用するため、情報リソースの量の増加に起因して、正しいｓＰＤＣＣＨの復号の可能性を向上させることになる。それによって、ネットワークノードは、より低いアグリゲーションレベルを用いてワイヤレスデバイスをスケジューリングすることが可能であるか、または、３シンボル長さのｓＰＤＣＣＨを伴うｓＴＴＩにおいて、ＵＥが監視すべき最大のアグリゲーションレベルを低減させることができる。
【００９２】
所与のアグリゲーションレベルのためのリソースの数は、サブフレーム内のｓＴＴＩのロケーションに依存しないため、ワイヤレスデバイスのためのｓＰＤＣＣＨリソースのハンドリングをより容易にすることも有利である。所与のＴＴＩ長さおよびｓＰＤＣＣＨ設定パラメータを用いて、ワイヤレスデバイスがＲＲＣ設定されるとすぐに、ワイヤレスデバイスには、所与のアグリゲーションレベルについてｓＰＤＣＣＨを検索するためのＰＲＢがすべてのｓＴＴＩにおいて同じであることがわかる。
【００９３】
３シンボル長さのｓＰＤＣＣＨが最適化された数のＰＲＢを使用する
別の実施形態において、ｓＰＤＣＣＨが送信される場合にｓＣＣＥに使用される周波数リソース（たとえば、ＰＲＢ）は、ｓＰＤＣＣＨによって使用される時間リソース（たとえば、ＯＦＤＭシンボル）の数に依存して最適化され得る。これは、３  ＯＦＤＭシンボルに及ぶｓＰＤＣＣＨが送信される場合に、ｓＣＣＥに使用される周波数リソース（たとえば、ＰＲＢ）が、２  ＯＦＤＭシンボルに及ぶｓＰＤＣＣＨが送信される場合に、ｓＣＣＥに使用される周波数リソース（たとえば、ＰＲＢ）とは異なり得ることを示す。言い換えれば、１つまたは複数の実施形態において、ｓＰＤＣＣＨのための周波数リソースはｓＰＤＣＣＨのための時間リソースに基づく。
【００９４】
ここでは、同じ数のＲＥ／ｓＣＣＥを維持することが意図される。ＰＲＢは、２シンボル長さのｓＰＤＣＣＨに比べて３シンボル長さのｓＰＤＣＣＨについて、より多くのＲＥを含むため、３シンボル長さのｓＰＤＣＣＨのためのＰＲＢの数は、２シンボル長さのｓＰＤＣＣＨのためのＰＲＢの数よりも少ない。分散型ｓＣＣＥのＲＥへのマッピングが適用される場合、２シンボルｓＰＤＣＣＨに比べてより少ない数のＰＲＢが、３シンボルｓＰＤＣＣＨでも使用される。下記でさらに説明するように、３  ＯＦＤＭシンボルｓＰＤＣＣＨの局在化方式および３  ＯＦＤＭシンボルｓＰＤＣＣＨの分散型方式は、前述の比較を示す。
【００９５】
したがって、本実施形態において、ワイヤレスデバイス／ネットワークノードは、送信されたｓＰＤＣＣＨの持続時間、すなわち、送信に関連付けられた特徴の例に従って、ｓＰＤＣＣＨマッピング、すなわち、事前に設定されたリソースの修正に適合する。ＲＲＣ設定のみでは十分ではない。同じｓＰＤＣＣＨ関係パラメータはＲＲＣを介して設定されるが、ｓＰＤＣＣＨに使用される周波数リソースは、送信されるｓＰＤＣＣＨ内のＯＦＤＭシンボルの数によっても決定される。
【００９６】
ＰＲＢの数の使用が最適化された３  ＯＦＤＭシンボルｓＰＤＣＣＨの局在化方式
局在化方式の場合、同じｓＣＣＥを構築するｓＲＥＧは周波数領域内、すなわち連続するＰＲＢ内に局在化される。これにより、制限付き周波数帯域内に限定されたｓＰＤＣＣＨリソース割り振り、ならびにＤＭＲＳベースｓＰＤＣＣＨのためのビームフォーミングの使用を容易にすることが可能になる。これに基づいて、および本開示の一実施形態として、局在化のケースは、アグリゲーションレベル最高８まで（すなわち、ｓＰＤＣＣＨ当たり８  ｓＣＣＥまで）定義され、図９に示される。各色が１つのｓＣＣＥを表す。本実施形態は、図９に示される未使用のＰＲＢを、他のＵＥについて他のｓＣＣＥを構築するためにさらに割り当てることができること、ならびに、ｓＰＤＳＣＨ割り振りに使用される可能性を、さらに含む。図１５に示されるＰＲＢインデックスは、ｓＰＤＣＣＨ  ＰＲＢセット内の数を表している。しかし、話を分かりやすくするために、物理ＰＲＢ数は示されていない。これは、ＰＲＢベースｓＲＥＧならびに細分化されたＰＲＢベースｓＲＥＧに適用される。文字Ｅ〜Ｌは、それぞれのｓＣＣＥを示す。
【００９７】
たとえば、図１５に見られるように、３６のＲＥの１  ｓＣＣＥは、２  ＯＦＤＭシンボルの場合に必要となる２ＰＲＢとは異なり、３  ＯＦＤＭシンボルに沿って１つのみの全ＰＲＢで構築される（図１２、ケース４Ｌを参照のこと）。
【００９８】
ＰＲＢの数の使用が最適化された３  ＯＦＤＭシンボルｓＰＤＣＣＨの分散型方式
本開示のさらなる実施形態として、３  ＯＦＤＭシンボルｓＰＤＣＣＨを伴う分散型ケースは、図１６に示される。文字Ｅ〜Ｌは、それぞれのｓＣＣＥを示す。これらのケースは周波数領域内での規則的な分散、および最大８までのアグリゲーションレベル（すなわち、ｓＰＤＣＣＨ当たり最大８  ｓＣＣＥ）を含む。本実施形態は、さらに、図１６に示される未使用のＰＲＢが、他のワイヤレスデバイスのための他のｓＣＣＥを構築するためにさらに割り当て可能であること、ならびに、ｓＰＤＣＣＨ割り振りに使用される可能性を、さらに含む。図１６に示されるＰＲＢインデックスは、ｓＰＤＣＣＨ  ＰＲＢセット（この例では、１８のＰＲＢのセット）内に数を表す。しかし、わかりやすくするために、物理ＰＲＢ数は示していない。これは、ＰＲＢベースｓＲＥＧならびに細分化されたＰＲＢベースｓＲＥＧに適用される。
【００９９】
たとえば、図１６に見られるように、３６  ＲＥの２  ｓＣＣＥは、２  ＯＦＤＭシンボルで必要とされる３  ＰＲＢとは異なり、各々、３  ＯＦＤＭシンボルに沿った２つの全ＰＲＢのみで構築される（図１１、ケース１１を参照のこと）。
【０１００】
参照信号オーバーヘッドを低減させるための３  ＯＦＤＭシンボルｓＰＤＣＣＨ
本実施形態において、ｓＰＤＣＣＨに使用されるＯＦＤＭシンボル、すなわち時間リソースのデフォルト数は、より高位層のシグナリング、たとえばＬＴＥにおけるＲＲＣを介して設定されるか、または、たとえばＬＴＥ仕様において事前に定義される。言い換えれば、１つまたは複数の実施形態において、ｓＰＤＣＣＨのためのＯＦＤＭシンボルの数、すなわち、制御チャネルマッピングまたはリソースは、少なくとも参照信号オーバーヘッドに基づく。しかし、いくつかのケースでは、送信モード（たとえば、ＤＭＲＳベース）および／または特別な参照信号（たとえば、ＣＳＩ−ＲＳ、ＤＭＲＳ）に応じて、ＰＲＢ内の多くのＲＥはこうした信号によって占有される。言い換えれば、１つまたは複数の実施形態において、ｓＰＤＣＣＨのためのＯＦＤＭシンボルの数は少なくとも送信モードに基づく。一例が図１７に示され、参照信号は２  ＯＦＤＭシンボル内に４２％のオーバーヘッドを表す。２  ＯＦＤＭシンボルｓＰＤＣＣＨが設定され、そのｓＣＣＥがこうした衝突信号を含む２シンボル長さのＰＲＢで構成される場合、ｓＣＣＥ当たりの使用可能ＲＥの数は、ｓＣＣＥ当たりのターゲット数、たとえば３６  ＲＥより少なくなる。これに基づき、本開示のさらなる一実施形態において、参照信号および他の種類のオーバーヘッドに起因してＰＲＢ当たり使用可能なＲＥがほとんどない場合に、３  ＯＦＤＭシンボルｓＰＤＣＣＨがスロットｓＴＴＩに使用される。図１７に示されるように、第３のＯＦＤＭシンボルは、ＰＲＢ当たり、およびしたがってｓＣＣＥ当たり、最大１２までの追加の使用可能ＲＥを含むことになる。これには、局在化および分散型の両方の方式の場合が含まれる。本実施形態は、長さ７ｏｓのショートＴＴＩの場合に特に有用であり、２から３のＯＦＤＭシンボルのｓＰＤＣＣＨの長さを増加させることが可能である。
【０１０１】
本実施形態は、以下のように要約することができる。ワイヤレスデバイスについて設定された送信モードおよび／またはワイヤレスデバイスに知られている特別な参照信号（たとえば、ＤＭＲＳ、ＣＳＩ−ＲＳ）の存在に応じて、ｓＰＤＣＣＨに使用される時間リソースの数は、事前に定義または事前に設定されたセッティングに比べて、（暗黙的に）増加し、たとえばｓＰＤＣＣＨは２ではなく３  ＯＳに及ぶ。したがって、１つまたは複数の実施形態において、ｓＰＤＣＣＨのためのＯＦＤＭシンボルの数、すなわち、制御チャネルマッピングまたはリソースは、少なくとも参照信号オーバーヘッドおよび／またはワイヤレスデバイス４４についての送信モードに基づき、すなわち、送信に関連付けられた１つまたは複数の特徴に基づく。
【０１０２】
実施形態について別々に説明してきたが、本明細書で説明する１つまたは複数の実施形態はまとめて使用可能であるため、ｓＰＤＣＣＨのためのＯＦＤＭシンボルの数は、ＴＴＩ長さ（ＴＴＩパターン）、参照信号オーバーヘッド、および設定された送信モードなどの、送信に関連付けられた特徴のうちの１つまたは複数に基づき得る。本明細書で説明する１つまたは複数の実施形態において、チャネルマッピングまたはリソースは、２  ＯＦＤＭシンボルから３  ＯＦＤＭシンボルへの、時間リソースなどのリソースにおける増加に対応する。
【０１０３】
図１８は、本開示の原理に従った、送信グラントを介するなどしてワイヤレスデバイス４４を設定するために、動的ショート物理ダウンリンク制御チャネル（ｓＰＤＣＣＨ）を決定するための、ネットワークノード３０のブロック図である。ネットワークノードは、本明細書で説明するような、１つまたは複数のワイヤレスデバイス、他のネットワークノード、および／または他のエンティティと通信するための、１つまたは複数のトランシーバ３２を含む。ネットワークノード３０は、処理回路要素３４を含む。いくつかの実施形態において、処理回路要素３４はメモリ３８およびプロセッサ３６を含み、メモリ３８は、プロセッサ３６によって実行されたときに、本明細書で説明する１つまたは複数の機能を実行するようにプロセッサ３６を設定する命令を含む。従来のプロセッサおよびメモリに加えて、処理回路要素３４は、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を、処理および／または制御するための集積回路要素を備え得る。
【０１０４】
処理回路要素３４は、メモリ３８を含む、および／またはメモリ３８に接続される、および／またはメモリ３８にアクセスする（たとえば、メモリ３８に書き込む、および／またはメモリ３８から読み取る）ように設定されることが可能であり、メモリ３８は、任意の種類の揮発性および／または不揮発性メモリ、たとえば、キャッシュおよび／またはバッファメモリおよび／またはＲＡＭ（ランダムアクセスメモリ）および／またはＲＯＭ（読み取り専用メモリ）および／または光学メモリおよび／またはＥＰＲＯＭ（消去可能プログラマブル読み取り専用メモリ）を含み得る。こうしたメモリ３８は、制御回路要素によって実行可能なコードおよび／または他のデータ、たとえば、通信に関連するデータ、たとえばノードのデータの設定および／またはアドレス指定などを記憶するように設定可能である。処理回路要素３４は、本明細書で説明する方法のいずれかを制御するように、かつ／または、たとえばプロセッサ３６によってこうした方法を実行させるように、設定可能である。対応する命令をメモリ３８に記憶することが可能であり、この命令は読み取り可能である、および／または、読み取り可能なように処理回路要素３４に接続可能である。言い換えれば、処理回路要素３４はコントローラを含むことができ、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得る。処理回路要素３４は、コントローラおよび／または処理回路要素３４による読み取りおよび／または書き込みのためにアクセスできるように設定可能なメモリを含むか、あるいはメモリに接続されるかまたは接続可能であり得るものと見なし得る。
【０１０５】
１つまたは複数の実施形態において、メモリ３８はｓＰＤＣＣＨコード４０を記憶するように設定される。たとえば、ｓＰＤＣＣＨコード４０は、プロセッサ３６によって実行されたときに、ネットワークノード３０に関して本明細書で説明するシグナリングをプロセッサ３６に実行させる、命令を含む。
【０１０６】
本明細書で使用される「ネットワークノード」または「無線ネットワークノード」という用語は、無線ネットワークに含まれる任意の種類のネットワークノードとすることができ、無線ネットワークは、基地局（ＢＳ）、無線基地局、送受信基地局（ＢＴＳ）基地局コントローラ（ＢＳＣ）、無線ネットワークコントローラ（ＲＮＣ）、エボルブドノードＢ（ｅＮＢまたはｅＮｏｄｅＢ）、ノードＢ、ＭＳＲ  ＢＳなどのマルチスタンダード無線（ＭＳＲ）無線ノード、リレーノード、ドナーノード制御リレー、無線アクセスポイント（ＡＰ）、送信ポイント、送信ノード、リモートラジオユニット（ＲＲＵ）、リモート無線ヘッド（ＲＲＨ）、分散型アンテナシステム（ＤＡＳ）におけるノードなどのいずれかを、さらに含み得る。
【０１０７】
さらに、ワイヤレスデバイスまたはネットワークノードによって実行されているものとして本明細書で説明する機能は、複数のワイヤレスデバイスおよび／またはネットワークノードを介して分散され得ることに留意されたい。言い換えれば、本明細書で説明するネットワークノードおよびワイヤレスデバイスの機能は、単一の物理デバイスによる実行に限定されず、実際には、いくつかの物理デバイス間で分散可能であることが企図される。
【０１０８】
図１９は、本開示の原理に従った、ｓＰＤＣＣＨコード４０の例示的実施形態のフロー図である。処理回路要素３４は、本明細書で説明するように、送信に関連付けられた少なくとも１つの特徴に基づいて、ｓＰＤＣＣＨのための時間リソースを決定するように設定される（ブロックＳ１００）。処理回路要素３４は、本明細書で説明するように、ｓＰＤＣＣＨのための時間リソースを使用してワイヤレスデバイス４４を設定するように設定される（ブロックＳ１０２）。たとえば、ワイヤレスデバイス４４を設定することは、スケジューリンググラントおよび／または割り当てをワイヤレスデバイス４４に送信することを含み得る。１つまたは複数の実施形態において、スケジューリンググラントおよび／または割り当ては、ワイヤレスデバイス４４によるアップリンク送信および／またはダウンリンク受信のためのものである。
【０１０９】
１つまたは複数の実施形態において、処理回路要素３４は、本明細書で説明するように、ワイヤレスデバイスに関連付けられたｓＰＤＣＣＨ時間リソースを決定すること、および、ワイヤレスデバイスに関連付けられたｓＰＤＣＣＨ周波数リソースを決定することのうちの、少なくとも１つのために設定される。１つまたは複数の実施形態において、処理回路要素３４は、本明細書で説明するように、ワイヤレスデバイス４４を設定またはスケジューリングするために、ｓＰＤＣＣＨ時間リソースおよびｓＰＤＣＣＨ周波数リソースのうちの少なくとも１つを使用して、ワイヤレスデバイス４４にグラントを送信するように設定される。
【０１１０】
図２０は、本開示の原理に従ったネットワークノード３０の代替実施形態のブロック図である。ネットワークノード３０は、ｓＰＤＣＣＨコード４０について説明したような機能を実行するための、ｓＰＤＣＣＨモジュール４２を含む。
【０１１１】
図２１は、本開示の原理に従った、ワイヤレスデバイス４４のブロック図である。ワイヤレスデバイス４４は、本明細書で説明するような、ネットワークノード３０、他のワイヤレスデバイス４４、および／または他のエンティティと通信するように設定された、トランシーバ４６を含む。ワイヤレスデバイス４４は処理回路要素４８を含む。いくつかの実施形態において、処理回路要素４８はメモリ５２およびプロセッサ５０を含み、メモリ５２は、プロセッサ５０によって実行されたときに、本明細書で説明する１つまたは複数の機能を実行するようにプロセッサ５０を設定する、命令を含む。従来のプロセッサおよびメモリに加えて、処理回路要素４８は、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路）を、処理および／または制御するための、集積回路を備え得る。
【０１１２】
処理回路要素４８は、メモリ５２を含む、および／またはメモリ５２に接続される、および／またはメモリ５２にアクセスする（たとえば、メモリ５２に書き込む、および／またはメモリ５２から読み取る）ように設定されることが可能であり、メモリ５２は、任意の種類の揮発性および／または不揮発性メモリ、たとえば、キャッシュおよび／またはバッファメモリおよび／またはＲＡＭ（ランダムアクセスメモリ）および／またはＲＯＭ（読み取り専用メモリ）および／または光学メモリおよび／またはＥＰＲＯＭ（消去可能プログラマブル読み取り専用メモリ）を含み得る。こうしたメモリ５２は、制御回路要素によって実行可能なコードおよび／または他のデータ、たとえば、通信に関連するデータ、たとえばノードのデータの設定および／またはアドレス指定などを記憶するように設定可能である。処理回路要素４８は、本明細書で説明する方法のいずれかを制御するように、かつ／または、たとえばプロセッサ５０によってこうした方法を実行させるように、設定可能である。対応する命令をメモリ５２に記憶することが可能であり、この命令は読み取り可能である、および／または、読み取り可能なように処理回路要素３４に接続可能である。言い換えれば、処理回路要素４８はコントローラを含むことができ、コントローラは、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得る。処理回路要素４８は、コントローラおよび／または処理回路要素４８による読み取りおよび／または書き込みのためにアクセスできるように設定可能なメモリを含むか、あるいはメモリに接続されるかまたは接続可能であり得るものと見なし得る。
【０１１３】
１つまたは複数の実施形態において、メモリ５２は設定コード５４を記憶するように設定される。たとえば、設定コード５４は、プロセッサ５０によって実行されたときに、本明細書で説明するように、ｓＰＤＣＣＨパラメータの設定をプロセッサ５０に実行させる、命令を含む。ワイヤレスデバイス４４は、無線通信デバイス、ワイヤレスデバイスエンドポイント、モバイルエンドポイント、デバイスエンドポイント、センサデバイス、ターゲットデバイス、デバイス間ワイヤレスデバイス、ユーザ機器（ＵＥ）、マシン型ワイヤレスデバイスまたはマシン間通信を実行できるワイヤレスデバイス、ワイヤレスデバイスが装備されたセンサ、タブレット、モバイル端末、携帯電話、ラップトップ、コンピュータ、電化製品、自動車、スマートフォン、ラップトップ組み込み機器（ＬＥＥ）、ラップトップ搭載機器（ＬＭＥ）、ＵＳＢドングル、および顧客構内機器（ＣＰＥ）、その他、当分野で知られた無線またはワイヤレス信号を通信可能な他のデバイスであり得る。さらに、本明細書においてワイヤレスデバイスまたはネットワークノードによって実行されているように説明される機能は、複数のワイヤレスデバイスおよび／またはネットワークノードにわたって分散可能であることに留意されたい。言い換えれば、本明細書で説明するネットワークノードおよびワイヤレスデバイスの機能は、単一の物理デバイスによる実行に限定されず、実際には、いくつかの物理デバイス間で分散可能であることが企図される。
【０１１４】
図２２は、設定コード５４の例示的設定プロセスのフロー図である。処理回路要素４８は、本明細書で説明するように時間リソースが送信に関連付けられた少なくとも１つの特徴に基づいている、ｓＰＤＣＣＨのための時間リソース上で設定を受信するように設定される（ブロックＳ１０４）。処理回路要素４８は、本明細書で説明するように、設定に従って送信するように設定される（ブロックＳ１０６）。
【０１１５】
１つまたは複数の実施形態において、処理回路要素４８は、本明細書で説明するように、ワイヤレスデバイスに関連付けられたｓＰＤＣＣＨ時間リソース、およびワイヤレスデバイスに関連付けられたｓＰＤＣＣＨ周波数リソースのうちの、少なくとも１つを受信するように設定される。１つまたは複数の実施形態において、処理回路要素４８は、本明細書で説明するように、ｓＰＤＣＣＨ時間リソースおよびｓＰＤＣＣＨ周波数リソースのうちの少なくとも１つにおいて受信された送信設定またはスケジューリングに従って、送信するように設定される。
【０１１６】
図２３は、本開示の原理に従った、ワイヤレスデバイス４４の代替実施形態である。ワイヤレスデバイス４４は、設定コード５４について上記で説明したように機能を実行するための設定モジュール５６を含む。
【０１１７】
本開示の１つまたは複数の実施形態は、下記を含む。
【０１１８】
実施形態１。リソース（ｓＰＤＣＣＨ）のためのグラントをワイヤレスデバイス４４に送信するための方法であって、方法はネットワークノード３０によって実行され、方法は下記を含む。
−グラント送信のために時間リソースの数／量を決定すること
−グラント送信のために決定される時間リソースの数は、グラント送信のために事前に設定または事前に定義される時間リソースの数とは異なり得る
−グラント送信のために周波数リソースを決定すること
−リソースについてのグラントをワイヤレスデバイス４４に送信すること
−グラントは、データチャネル内でワイヤレスデバイスに割り振られるデータリソースを示すインジケータを含む
【０１１９】
実施形態２。ネットワークノード３０およびワイヤレスデバイス４４の両方に知られた参照信号オーバーヘッドまたは他のタイプのオーバーヘッドを考慮しながら、グラント送信のための時間リソースの数が決定される、実施形態１の方法。
【０１２０】
実施形態３。事前に定義されるかまたは事前に設定される送信持続時間のパターンに基づいて、グラント送信のための時間リソースの数が決定される、実施形態１の方法。
【０１２１】
実施形態４。データチャネルおよび／またはグラントのために設定された送信モードに基づいて、グラント送信のための時間リソースの数が決定される、実施形態１の方法。
【０１２２】
実施形態５。事前に設定されるかまたは事前に定義されるグラント送信のための時間リソースの数に基づいて、グラント送信のための時間リソースの数が決定される（たとえば、３シンボル長さのｓＰＤＣＣＨは２シンボル長さのｓＰＤＣＣＨと同じＰＲＢを使用する）、実施形態１から４のいずれかの方法。
【０１２３】
実施形態６。グラント送信のために決定された時間リソースの数に基づいて、グラント送信のための周波数リソースが決定される（たとえば、３シンボル長さのｓＰＤＣＣＨは最適化された数のＰＲＢを使用する）、実施形態１から４のいずれかの方法。
【０１２４】
１つまたは複数の他の実施形態は、下記を含む。
【０１２５】
本開示の一態様によれば、ワイヤレスデバイス４４のためにｓＰＤＣＣＨリソースを設定するためのネットワークノード３０が提供される。ネットワークノード３０は、ワイヤレスデバイス４４に関連付けられたｓＰＤＣＣＨ時間リソースの修正を決定すること、および、ワイヤレスデバイス４４に関連付けられたｓＰＤＣＣＨ周波数リソースの修正を決定することのうちの少なくとも１つ、ならびに、ｓＰＤＣＣＨ時間リソースの修正およびｓＰＤＣＣＨ周波数リソースの修正のうちの少なくとも１つのためのグラントを、ワイヤレスデバイス４４に送信することを、実行するように設定された、処理回路要素３４を含む。
【０１２６】
本態様の一実施形態によれば、ワイヤレスデバイス４４に関連付けられたｓＰＤＣＣＨ時間リソースの修正は、事前に定義された量のｓＰＤＣＣＨ時間リソースから別の数のｓＰＤＣＣＨ時間リソースまで、ｓＰＤＣＣＨ時間リソースを修正することを含む。本態様の一実施形態によれば、ワイヤレスデバイス４４に関連付けられたｓＰＤＣＣＨ時間リソースの修正は、参照信号オーバーヘッドに基づく。本態様の一実施形態によれば、ワイヤレスデバイス４４に関連付けられたｓＰＤＣＣＨ時間リソースの修正は、ショート送信時間間隔（ｓＴＴＩ）持続時間の事前に定義されたパターンに基づく。
【０１２７】
本態様の一実施形態によれば、ワイヤレスデバイス４４に関連付けられたｓＰＤＣＣＨ時間リソースの修正は、ワイヤレスデバイス４４のための、データチャネルおよびグラントのうちの少なくとも１つについての送信モードに基づく。本態様の一実施形態によれば、ワイヤレスデバイス４４に関連付けられたｓＰＤＣＣＨ周波数リソースの修正は、ｓＰＤＣＣＨ時間リソースの決定された修正に基づく。本態様の一実施形態によれば、ワイヤレスデバイス４４に関連付けられたｓＰＤＣＣＨ周波数リソースの修正は、ワイヤレスデバイス４４に関連付けられたｓＰＤＣＣＨ時間リソースの事前に定義された数に基づく。
【０１２８】
本開示の一態様によれば、ネットワークノード３０が、ワイヤレスデバイス４４のためのｓＰＤＣＣＨリソースを設定するための方法が提供される。ワイヤレスデバイス４４に関連付けられたｓＰＤＣＣＨ時間リソースの修正が決定される。ワイヤレスデバイス４４に関連付けられたｓＰＤＣＣＨ周波数リソースの修正が決定される。ｓＰＤＣＣＨ時間リソースの修正およびｓＰＤＣＣＨ周波数リソースの修正のためのグラントが、ワイヤレスデバイス４４に送信される。
【０１２９】
本態様の一実施形態によれば、ワイヤレスデバイス４４に関連付けられたｓＰＤＣＣＨ時間リソースの修正は、ｓＰＤＣＣＨ時間リソースを、事前に定義された数のｓＰＤＣＣＨ時間リソースから別の数のｓＰＤＣＣＨ時間リソースに修正することを含む。本態様の一実施形態によれば、ワイヤレスデバイス４４に関連付けられたｓＰＤＣＣＨ時間リソースの修正は、参照信号オーバーヘッドに基づく。本態様の一実施形態によれば、ワイヤレスデバイス４４に関連付けられたｓＰＤＣＣＨ時間リソースの修正は、ショート送信時間間隔（ｓＴＴＩ）持続時間の事前に定義されたパターンに基づく。
【０１３０】
本態様の一実施形態によれば、ワイヤレスデバイス４４に関連付けられたｓＰＤＣＣＨ時間リソースの修正は、ワイヤレスデバイス４４のための、データチャネルおよびグラントのうちの少なくとも１つについての送信モードに基づく。本態様の一実施形態によれば、ワイヤレスデバイス４４に関連付けられたｓＰＤＣＣＨ周波数リソースの修正は、ｓＰＤＣＣＨ時間リソースの決定された修正に基づく。本態様の一実施形態によれば、ワイヤレスデバイス４４に関連付けられたｓＰＤＣＣＨ周波数リソースの修正は、ワイヤレスデバイス４４に関連付けられたｓＰＤＣＣＨ時間リソースの事前に定義された数に基づく。
【０１３１】
本開示の一態様によれば、ｓＰＤＣＣＨリソース上で送信するためのワイヤレスデバイス４４が提供される。ワイヤレスデバイス４４は、ワイヤレスデバイス４４に関連付けられたｓＰＤＣＣＨ時間リソースの修正を受信すること、および、ワイヤレスデバイス４４に関連付けられたｓＰＤＣＣＨ周波数リソースの修正を受信することのうちの少なくとも１つ、ならびに、ｓＰＤＣＣＨ時間リソースの修正およびｓＰＤＣＣＨ周波数リソースの修正のうちの少なくとも１つを使用して送信するように設定された、処理回路要素４８を含む。
【０１３２】
本態様の一実施形態によれば、ワイヤレスデバイス４４に関連付けられたｓＰＤＣＣＨ時間リソースの修正は、ｓＰＤＣＣＨ時間リソースを、事前に定義された量のｓＰＤＣＣＨ時間リソースから別の数のｓＰＤＣＣＨ時間リソースに修正することを含む。本態様の一実施形態によれば、ワイヤレスデバイス４４に関連付けられたｓＰＤＣＣＨ時間リソースの修正は、参照信号オーバーヘッドに基づく。本態様の一実施形態によれば、ワイヤレスデバイス４４に関連付けられたｓＰＤＣＣＨ時間リソースの修正は、ショート送信時間間隔（ｓＴＴＩ）持続時間の事前に定義されたパターンに基づく。
【０１３３】
本態様の一実施形態によれば、ワイヤレスデバイス４４に関連付けられたｓＰＤＣＣＨ時間リソースの修正は、ワイヤレスデバイス４４のための、データチャネルおよびグラントのうちの少なくとも１つについての送信モードに基づく。本態様の一実施形態によれば、ワイヤレスデバイス４４に関連付けられたｓＰＤＣＣＨ周波数リソースの修正は、ｓＰＤＣＣＨ時間リソースの決定された修正に基づく。本態様の一実施形態によれば、ワイヤレスデバイス４４に関連付けられたｓＰＤＣＣＨ周波数リソースの修正は、ワイヤレスデバイス４４に関連付けられたｓＰＤＣＣＨ時間リソースの事前に定義された数に基づく。
【０１３４】
本開示の一態様によれば、ワイヤレスデバイス４４がｓＰＤＣＣＨリソース上で送信するための方法が提供される。ワイヤレスデバイス４４に関連付けられたｓＰＤＣＣＨ時間リソースの修正およびワイヤレスデバイス４４に関連付けられたｓＰＤＣＣＨ周波数リソースの修正のうちの、少なくとも１つを示すシグナリングが受信される。ｓＰＤＣＣＨ時間リソースの修正およびｓＰＤＣＣＨ周波数リソースの修正のうちの、少なくとも１つに従った送信が実行される。
【０１３５】
本態様の一実施形態によれば、ワイヤレスデバイス４４に関連付けられたｓＰＤＣＣＨ時間リソースの修正は、ｓＰＤＣＣＨ時間リソースを、事前に定義された量のｓＰＤＣＣＨ時間リソースから別の数のｓＰＤＣＣＨ時間リソースに修正することを含む。本態様の一実施形態によれば、ワイヤレスデバイス４４に関連付けられたｓＰＤＣＣＨ時間リソースの修正は、参照信号オーバーヘッドに基づく。本態様の一実施形態によれば、ワイヤレスデバイス４４に関連付けられたｓＰＤＣＣＨ時間リソースの修正は、ショート送信時間間隔（ｓＴＴＩ）持続時間の事前に定義されたパターンに基づく。本態様の一実施形態によれば、ワイヤレスデバイスに関連付けられたｓＰＤＣＣＨ時間リソースの修正は、ワイヤレスデバイス４４のための、データチャネルおよびグラントのうちの少なくとも１つについての送信モードに基づく。
【０１３６】
本態様の一実施形態によれば、ワイヤレスデバイス４４に関連付けられたｓＰＤＣＣＨ周波数リソースの修正は、ｓＰＤＣＣＨ時間リソースの決定された修正に基づく。本態様の一実施形態によれば、ワイヤレスデバイス４４に関連付けられたｓＰＤＣＣＨ周波数リソースの修正は、ワイヤレスデバイス４４に関連付けられたｓＰＤＣＣＨ時間リソースの事前に定義された数に基づく。
【０１３７】
本開示の一態様によれば、ワイヤレスデバイス４４のためにｓＰＤＣＣＨリソースを設定するためのネットワークノード３０が提供される。ネットワークノード３０は、ワイヤレスデバイス４４に関連付けられたｓＰＤＣＣＨ時間リソースの修正を決定すること、および、ワイヤレスデバイス４４に関連付けられたｓＰＤＣＣＨ周波数リソースの修正を決定することのうちの少なくとも１つ、ならびに、ｓＰＤＣＣＨ時間リソースの修正およびｓＰＤＣＣＨ周波数リソースの修正のうちの少なくとも１つのためのグラントを、ワイヤレスデバイス４４に送信するように設定された、ｓＰＤＣＣＨ修正モジュールを含む。
【０１３８】
本開示の一態様によれば、ｓＰＤＣＣＨリソース上で送信するためのワイヤレスデバイス４４が提供される。ワイヤレスデバイス４４は、ワイヤレスデバイスに関連付けられたｓＰＤＣＣＨ時間リソースの修正を受信すること、および、ワイヤレスデバイス４４に関連付けられたｓＰＤＣＣＨ周波数リソースの修正を受信することのうちの少なくとも１つ、ならびに、ｓＰＤＣＣＨ時間リソースの修正およびｓＰＤＣＣＨ周波数リソースの修正のうちの少なくとも１つを使用して送信するように設定された、設定コードを含む。
【０１３９】
１つまたは複数の他の実施形態
本開示の一態様によれば、ショート物理ダウンリンク制御チャネル（ｓＰＤＣＣＨ）のためにリソースを設定するためのネットワークノード３０が提供される。ネットワークノード３０は、送信に関連付けられた少なくとも１つの特徴に基づいてｓＰＤＣＣＨのための時間リソースを決定するように、かつ、ｓＰＤＣＣＨのために時間リソースを使用してワイヤレスデバイス４４を設定するように設定された、処理回路要素３４を含む。
【０１４０】
本態様の一実施形態によれば、ｓＰＤＣＣＨのための時間リソースの決定は、サブスロット内のｓＰＤＣＣＨのシンボルの数を決定することを含む。本態様の一実施形態によれば、少なくとも１つの特徴は、参照信号オーバーヘッドまたはサブスロット長さを含む。本態様の一実施形態によれば、ｓＰＤＣＣＨのための時間リソースは、時間リソースについての参照信号オーバーヘッドを減少させるように設定される。
【０１４１】
本態様の一実施形態によれば、少なくとも１つの特徴は、ワイヤレスデバイス４４のためのサブスロットの事前に定義されたパターンを含む。本態様の一実施形態によれば、少なくとも１つの特徴は、ワイヤレスデバイス４４のための、データチャネルおよび／またはグラントについての送信モードを含む。本態様の一実施形態によれば、処理回路要素３４は、周波数リソースがｓＰＤＣＣＨのための時間リソースとは独立に決定される、ｓＰＤＣＣＨのための周波数リソースを決定するように、かつ、ｓＰＤＣＣＨのための周波数リソースを使用してワイヤレスデバイス４４を設定するように、さらに設定される。
【０１４２】
本態様の一実施形態によれば、２シンボルｓＰＤＣＣＨにおいてショート制御チャネルエレメント（ｓＣＣＥ）に使用される周波数リソースは、３シンボルｓＰＤＣＣＨにおいてｓＣＣＥに使用される周波数リソースに対応する。本態様の一実施形態によれば、処理回路要素３４は、ｓＰＤＣＣＨのための時間リソースに基づいてｓＰＤＣＣＨのための周波数リソースを決定するように、かつ、ｓＰＤＣＣＨのための周波数リソースを使用してワイヤレスデバイス４４を設定するように、さらに設定される。本態様の一実施形態によれば、ｓＰＤＣＣＨは復調用参照信号（ＤＭＲＳ）に基づく。
【０１４３】
本態様の一実施形態によれば、ｓＰＤＣＣＨは２シンボルサブスロットに対応する２シンボルｓＰＤＣＣＨであるか、または、ｓＰＤＣＣＨは３シンボルサブスロットに対応する３シンボルｓＰＤＣＣＨである。本態様の一実施形態によれば、ｓＰＤＣＣＨは、２シンボルＴＴＩについて設定されるダウンリンクサブフレームの一部であり、ダウンリンクサブフレームは、２シンボルｓＰＤＣＣＨおよび３シンボルｓＰＤＣＣＨの両方を含むように設定される。本態様の一実施形態によれば、ワイヤレスデバイス４４の設定は、ｓＰＤＣＣＨのための時間リソースを使用してスケジューリンググラントまたは割り当てを送信することを含む。
【０１４４】
本開示の別の態様によれば、ショート物理ダウンリンク制御チャネル（ｓＰＤＣＣＨ）のためにネットワークノード３０がリソースを設定するための方法が提供される。ｓＰＤＣＣＨのための時間リソースは、送信に関連付けられた少なくとも１つの特徴に基づいて決定され、ワイヤレスデバイス４４は、ｓＰＤＣＣＨのための時間リソースを使用して設定される。
【０１４５】
本態様の一実施形態によれば、ｓＰＤＣＣＨのための時間リソースの決定は、サブスロットにおけるｓＰＤＣＣＨのシンボルの数を決定することを含む。本態様の一実施形態によれば、少なくとも１つの特徴は参照信号オーバーヘッド、またはサブスロット長さを含む。本態様の一実施形態によれば、ｓＰＤＣＣＨのための時間リソースは、時間リソースについての参照信号オーバーヘッドを減少させるように設定される。
【０１４６】
本態様の一実施形態によれば、少なくとも１つの特徴は、サブスロットの事前に定義されたパターンを含む。本態様の一実施形態によれば、少なくとも１つの特徴は、ワイヤレスデバイス４４のための、データチャネルおよび／またはグラントについての送信モードを含む。本態様の一実施形態によれば、ｓＰＤＣＣＨのための周波数リソースを決定することが決定され、周波数リソースはｓＰＤＣＣＨのための時間リソースとは独立に決定され、および、ワイヤレスデバイス４４は、ｓＰＤＣＣＨのための周波数リソースを使用して設定される。
【０１４７】
本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する。本態様の一実施形態によれば、ｓＰＤＣＣＨのための時間リソースに基づいてｓＰＤＣＣＨのための周波数リソースが決定され、および、ｓＰＤＣＣＨのための周波数リソースを使用してワイヤレスデバイス４４が設定される。本態様の一実施形態によれば、ｓＰＤＣＣＨは復調用参照信号（ＤＭＲＳ）に基づく。
【０１４８】
本態様の一実施形態によれば、ｓＰＤＣＣＨは、２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは、２シンボルｓＰＤＣＣＨおよび３シンボルｓＰＤＣＣＨの両方を含むように設定される。本態様の一実施形態によれば、ワイヤレスデバイス４４を設定することは、ｓＰＤＣＣＨのための時間リソースを使用してスケジューリンググラントまたは割り当てを送信することを含む。
【０１４９】
本開示の一態様によれば、ショート物理ダウンリンク制御チャネル（ｓＰＤＣＣＨ）において示されるリソース上で送信するためのワイヤレスデバイス４４が提供される。ワイヤレスデバイス４４は、時間リソースが送信に関連付けられた少なくとも１つの特徴に基づいている、ｓＰＤＣＣＨの時間リソース上の設定を受信するように、かつ、この設定に従って送信するように、設定された、処理回路要素４８を含む。
【０１５０】
本態様の一実施形態によれば、ｓＰＤＣＣＨの時間リソースは、サブスロット内にいくつかのｓＰＤＣＣＨのシンボルを含む。本態様の一実施形態によれば、少なくとも１つの特徴は参照信号オーバーヘッドまたはサブスロット長さを含む。本態様の一実施形態によれば、ｓＰＤＣＣＨの時間リソースは、時間リソースについての参照信号オーバーヘッドを減少させるように設定される。本態様の一実施形態によれば、少なくとも１つの特徴は、ワイヤレスデバイス４４のための事前に定義されたパターンのサブスロットを含む。
【０１５１】
本態様の一実施形態によれば、少なくとも１つの特徴は、ワイヤレスデバイス４４のための、データチャネルおよびグラントのうちの少なくとも１つについての送信モードを含む。本態様の一実施形態によれば、処理回路要素４８は、ｓＰＤＣＣＨについての周波数リソース上の設定を受信するようにさらに設定され、周波数リソースはｓＰＤＣＣＨの時間リソースとは独立に設定される。本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである。
【０１５２】
本態様の一実施形態によれば、処理回路要素４８は、ｓＰＤＣＣＨの周波数リソース上の設定を受信するようにさらに設定され、周波数リソースは、ｓＰＤＣＣＨの時間リソースに基づいて設定される。本態様の一実施形態によれば、ｓＰＤＣＣＨは復調用参照信号（ＤＭＲＳ）に基づく。本態様の一実施形態によれば、ｓＰＤＣＣＨは２シンボルサブスロットに対応する２シンボルｓＰＤＣＣＨであるか、またはｓＰＤＣＣＨは３シンボルｓＴＴＩに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは２シンボルｓＰＤＣＣＨおよび３シンボルｓＰＤＣＣＨの両方を含むように設定される。本態様の一実施形態によれば、受信される設定はスケジューリンググラントまたは割り当てを含む。
【０１５３】
本開示の一態様によれば、ワイヤレスデバイス４４がショート物理ダウンリンク制御チャネル（ｓＰＤＣＣＨ）内に示されるリソース上で送信するための方法が提供される。ｓＰＤＣＣＨの時間リソース上の設定が受信され、時間リソースは送信に関連付けられた少なくとも１つの特徴に基づいている。送信は設定に従って実行される。
【０１５４】
本態様の一実施形態によれば、ｓＰＤＣＣＨのための時間リソースは、サブスロット内にいくつかのｓＰＤＣＣＨのシンボルを含む。本態様の一実施形態によれば、少なくとも１つの特徴は参照信号オーバーヘッドまたはサブスロット長さを含む。本態様の一実施形態によれば、ｓＰＤＣＣＨの時間リソースは、時間リソースについての参照信号オーバーヘッドを減少させるように設定される。本態様の一実施形態によれば、少なくとも１つの特徴は、ワイヤレスデバイス４４のための事前に定義されたパターンのサブスロットを含む。
【０１５５】
本態様の一実施形態によれば、少なくとも１つの特徴は、ワイヤレスデバイス４４のための、データチャネルおよびグラントのうちの少なくとも１つについての送信モードを含む。本態様の一実施形態によれば、設定はｓＰＤＣＣＨの周波数リソース上で受信され、周波数リソースはｓＰＤＣＣＨの時間リソースとは独立に設定される。本態様の一実施形態によれば、２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである。本態様の一実施形態によれば、設定はｓＰＤＣＣＨの周波数リソース上で受信され、周波数リソースは、ｓＰＤＣＣＨの時間リソースに基づいて設定される。
【０１５６】
本態様の一実施形態によれば、ｓＰＤＣＣＨは復調用参照信号（ＤＭＲＳ）に基づく。本態様の一実施形態によれば、ｓＰＤＣＣＨは２シンボルサブスロットに対応する２シンボルｓＰＤＣＣＨであるか、またはｓＰＤＣＣＨは３シンボルサブスロットに対応する３シンボルｓＰＤＣＣＨである。本態様の一実施形態によれば、ｓＰＤＣＣＨは、２シンボルＴＴＩのために設定されたダウンリンクサブフレームの一部であり、ダウンリンクサブフレームは２シンボルｓＰＤＣＣＨおよび３シンボルｓＰＤＣＣＨの両方を含むように設定される。本態様の一実施形態によれば、受信される設定はスケジューリンググラントまたは割り当てを含む。
【０１５７】
本開示の一態様によれば、ショート物理ダウンリンク制御チャネル（ｓＰＤＣＣＨ）のためにリソースを設定するためのネットワークノード３０が提供される。ネットワークノード３０は、ｓＰＤＣＣＨのためのリソースを決定するように設定され、リソースは少なくとも１つのショートリソースエレメントグループ（ｓＲＥＧ）を含み、各ｓＲＥＧは、セル特有の参照信号（ＣＲＳ）のためのリソースエレメント（ＲＥ）、および／またはＤＭＲＳベースｓＰＤＣＣＨ内で使用するための復調用参照信号（ＤＭＲＳ）を含む１つの直交周波数分割多重化（ＯＦＤＭ）シンボル内に、１つのリソースブロック（ＲＢ）を含み、さらに、ｓＰＤＣＣＨのためのリソースを使用してワイヤレスデバイス４４を設定するように設定された、処理回路要素３４を含む。
【０１５８】
本態様の一実施形態によれば、少なくとも１つのｓＲＥＧは、ショート制御チャネルエレメント（ｓＣＣＥ）当たりいくつかのｓＲＥＧを含み、ｓＣＣＥ当たりのｓＲＥＧの数は、２シンボルｓＰＤＣＣＨにおけるＤＭＲＳベースｓＰＤＣＣＨの場合は４であるか、または、３シンボルｓＰＤＣＣＨにおけるＤＭＲＳベースｓＰＤＣＣＨの場合は６である。本態様の一実施形態によれば、リソースは周波数リソースを含み、３シンボルｓＰＤＣＣＨ内のｓＣＣＥに使用される周波数リソースは、２シンボルｓＰＤＣＣＨ内のｓＣＣＥに使用される周波数リソースに対応する。
【０１５９】
当業者であれば理解されるように、本明細書で説明する概念は、方法、データ処理システム、および／またはコンピュータプログラム製品として具体化され得る。したがって、本明細書で説明する概念は、完全にハードウェア実施形態、完全にソフトウェア実施形態、または、ソフトウェアおよびハードウェアの態様を組み合わせた実施形態の形を取ることができ、それらは概して、本明細書では「回路」または「モジュール」と呼ばれる。さらに本開示は、コンピュータによって実行可能な、媒体内に具体化されたコンピュータプログラムコードを有する有形のコンピュータ使用可能記憶媒体上で、コンピュータプログラム製品の形を取ることができる。ハードディスク、ＣＤ−ＲＯＭ、電子記憶デバイス、光記憶デバイス、または磁気記憶デバイスを含む、任意の好適な有形のコンピュータ可読媒体が利用可能である。
【０１６０】
本明細書では、いくつかの実施形態を、方法、システム、およびコンピュータプログラム製品のフローチャート図および／またはブロック図を参照しながら説明する。フローチャート図および／またはブロック図の各ブロック、ならびに、フローチャート図および／またはブロック図内のブロックの組み合わせは、コンピュータプログラム命令によって実装可能であることを理解されよう。これらのコンピュータプログラム命令は、汎用コンピュータ（それによって特定用途向けコンピュータを作成するため）、特定用途向けコンピュータ、またはマシンを生成するための他のプログラマブルデータ処理装置の、プロセッサに提供され得、コンピュータまたは他のプログラマブルデータ処理装置のプロセッサを介して実行する命令が、フローチャートおよび／またはブロック図のブロック内に指定された機能／動作を実施するための手段を作成するようになる。
【０１６１】
コンピュータまたは他のプログラマブルデータ処理装置に特定の様式で機能するように指示することが可能なこれらのコンピュータプログラム命令は、コンピュータ可読メモリまたは記憶媒体内に記憶することも可能であり、コンピュータ可読メモリ内に記憶された命令は、フローチャートおよび／またはブロック図のブロック内に指定された機能／動作を実装する命令手段を含む製品を生成するようになる。
【０１６２】
一連の動作ステップをコンピュータまたは他のプログラマブル装置上で実行させ、コンピュータ実装プロセスを生成するために、コンピュータプログラム命令をコンピュータまたは他のプログラマブルデータ処理装置上にロードすることも可能であり、コンピュータまたは他のプログラマブル装置上で実行する命令は、フローチャートおよび／またはブロック図のブロック内に指定された機能／動作を実装するためのステップを提供するようになる。
【０１６３】
ブロック内に示された機能／動作は、動作図に示された順序を外れて生じ得ることを理解されよう。たとえば、連続して示される２つのブロックは、含まれる機能性／動作に応じて、実際にはほぼ同時に実行され得るか、またはブロックは、時には逆順に実行され得る。いくつかの図面は、通信の主方向を示すために通信パス上に矢印を含むが、通信は示された矢印とは反対の方向に生じ得ることを理解されよう。
【０１６４】
本明細書で説明する概念の動作を実施するためのコンピュータプログラムコードは、Ｊａｖａ（登録商標）またはＣ＋＋などのオブジェクト指向プログラミング言語で作成され得る。しかしながら、本開示の動作を実施するためのコンピュータプログラムコードは、「Ｃ」プログラミング言語などの従来の手続き型プログラミング言語でも作成され得る。プログラムコードは、完全にユーザのコンピュータ上で、部分的にユーザのコンピュータ上で、スタンドアロン型ソフトウェアパッケージとして、部分的にユーザのコンピュータ上および部分的にリモートコンピュータ上で、または、完全にリモートコンピュータ上で、実行し得る。後者のシナリオでは、リモートコンピュータは、ローカルエリアネットワーク（ＬＡＮ）またはワイドエリアネットワーク（ＷＡＮ）を介してユーザのコンピュータに接続され得るか、あるいは、外部コンピュータへ（たとえば、インターネットサービスプロバイダを使用してインターネットを介して）接続可能である。
【０１６５】
上記の説明および図面に関連して、多くの異なる実施形態を開示してきた。これらの実施形態のあらゆる組み合わせおよびサブコンビネーションを逐語的に説明および例示することは、過度な反復であり曖昧にさせるものであることを理解されよう。したがって、すべての実施形態は、任意の様式および／または組み合わせで結合可能であり、図面を含む本明細書は、本明細書で説明する実施形態のすべての組み合わせおよびサブコンビネーションの、ならびにそれらを作成および使用する様式およびプロセスの、完全な明細書を構成するものと解釈されるものであり、いずれのこうした組み合わせおよびサブコンビネーションに対する請求もサポートするものとする。
【０１６６】
当業者であれば、本明細書で説明する実施形態は、上記で具体的に図示および説明した内容に限定されないことを理解されよう。加えて、反対に上記で言及されていない限り、添付の図面のすべては一定の縮尺でないことに留意されたい。上記の教示に鑑み、下記の特許請求の範囲に記載の範囲を逸脱することなく、様々な改変および変形が可能である。
【図１】
2020505881.tif 000009
【図２】
2020505881.tif 000010
【図３】
2020505881.tif 000011
【図４】
2020505881.tif 000012
【図５】
2020505881.tif 000013
【図６】
2020505881.tif 000014
【図７】
2020505881.tif 000015
【図８】
2020505881.tif 000016
【図９】
2020505881.tif 000017
【図１０】
2020505881.tif 000018
【図１１】
2020505881.tif 000019
【図１２】
2020505881.tif 000020
【図１３】
2020505881.tif 000021
【図１４】
2020505881.tif 000022
【図１５】
2020505881.tif 000023
【図１６】
2020505881.tif 000024
【図１７】
2020505881.tif 000025
【図１８】
2020505881.tif 000026
【図１９】
2020505881.tif 000027
【図２０】
2020505881.tif 000028
【図２１】
2020505881.tif 000029
【図２２】
2020505881.tif 000030
【図２３】
2020505881.tif 000031
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
ショート物理ダウンリンク制御チャネル（ｓＰＤＣＣＨ）のために、リソースを設定するためのネットワークノード（３０）であって、
処理回路要素（３４）を備え、前記処理回路要素（３４）は、
送信に関連付けられた少なくとも１つの特徴に基づいて前記ｓＰＤＣＣＨのための時間リソースを決定するように設定され、
送信に関連付けられた前記少なくとも１つの特徴は、サブスロット送信持続時間を含み、
前記ｓＰＤＣＣＨは、２シンボルサブスロット送信持続時間に対応する２シンボルｓＰＤＣＣＨであり、前記ｓＰＤＣＣＨは、３シンボルサブスロット送信持続時間に対応する３シンボルｓＰＤＣＣＨであり、
さらに前記処理回路要素（３４）は、
前記ｓＰＤＣＣＨのための前記時間リソースを使用してワイヤレスデバイス（４４）を設定するように設定される、
ネットワークノード（３０）。
【請求項２】
前記少なくとも１つの特徴は、参照信号オーバーヘッド、またはサブスロット長さを含む、請求項１に記載のネットワークノード（３０）。
【請求項３】
前記処理回路要素（３４）は、
前記ｓＰＤＣＣＨのための前記時間リソースとは独立に、前記ｓＰＤＣＣＨのための周波数リソースを決定するように、かつ、
前記ｓＰＤＣＣＨのための前記周波数リソースを使用して前記ワイヤレスデバイス（４４）を設定するように、
さらに設定される、請求項１または２に記載のネットワークノード（３０）。
【請求項４】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する、請求項３に記載のネットワークノード（３０）。
【請求項５】
前記ｓＰＤＣＣＨは復調用参照信号（ＤＭＲＳ）に基づく、請求項１から４のいずれか一項に記載のネットワークノード（３０）。
【請求項６】
前記ｓＰＤＣＣＨは、２シンボルＴＴＩのために設定されたダウンリンクサブフレームの一部であり、前記ダウンリンクサブフレームは、２シンボルｓＰＤＣＣＨおよび３シンボルｓＰＤＣＣＨの両方を含むように設定される、請求項１から５のいずれか一項に記載のネットワークノード（３０）。
【請求項７】
ショート物理ダウンリンク制御チャネル（ｓＰＤＣＣＨ）のために、ネットワークノード（３０）がリソースを設定するための方法であって、
送信に関連付けられた少なくとも１つの特徴に基づいて前記ｓＰＤＣＣＨのための時間リソースを決定すること（Ｓ１００）であって、
送信に関連付けられた前記少なくとも１つの特徴は、サブスロット送信持続時間を含み、
前記ｓＰＤＣＣＨは、２シンボルサブスロット送信持続時間に対応する２シンボルｓＰＤＣＣＨであり、前記ｓＰＤＣＣＨは、３シンボルサブスロット送信持続時間に対応する３シンボルｓＰＤＣＣＨである、前記ｓＰＤＣＣＨのための時間リソースを決定すること（Ｓ１００）、および、
前記ｓＰＤＣＣＨのための前記時間リソースを使用してワイヤレスデバイス（４４）を設定すること（Ｓ１０２）、
を含む、方法。
【請求項８】
前記少なくとも１つの特徴は、参照信号オーバーヘッドを含む、請求項７に記載の方法。
【請求項９】
前記ｓＰＤＣＣＨのための前記時間リソースとは独立に、前記ｓＰＤＣＣＨのための周波数リソースを決定すること、および、
前記ｓＰＤＣＣＨのための前記周波数リソースを使用して前記ワイヤレスデバイス（４４）を設定すること、
をさらに含む、請求項７または８に記載の方法。
【請求項１０】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースに対応する、請求項９に記載の方法。
【請求項１１】
前記ｓＰＤＣＣＨは復調用参照信号（ＤＭＲＳ）に基づく、請求項７から１０のいずれか一項に記載の方法。
【請求項１２】
ショート物理ダウンリンク制御チャネル（ｓＰＤＣＣＨ）において示されるリソース上で送信するためのワイヤレスデバイス（４４）であって、
処理回路要素（４８）を備え、前記処理回路要素（４８）は、
前記ｓＰＤＣＣＨの時間リソース上の設定を受信するように設定され、前記時間リソースは送信に関連付けられた少なくとも１つの特徴に基づいており、
送信に関連付けられた前記少なくとも１つの特徴は、サブスロット送信持続時間を含み、
前記ｓＰＤＣＣＨは、２シンボルサブスロット送信持続時間に対応する２シンボルｓＰＤＣＣＨであり、前記ｓＰＤＣＣＨは、３シンボルサブスロット送信持続時間に対応する３シンボルｓＰＤＣＣＨであり、
さらに前記処理回路要素（４８）は、
前記設定に従って送信するように設定される、
ワイヤレスデバイス（４４）。
【請求項１３】
前記ｓＰＤＣＣＨの前記時間リソースは、サブスロット内に前記ｓＰＤＣＣＨのいくつかのシンボルを含む、請求項１２に記載のワイヤレスデバイス（４４）。
【請求項１４】
前記少なくとも１つの特徴は参照信号オーバーヘッドまたはサブスロット長さを含む、請求項１２または１３に記載のワイヤレスデバイス（４４）。
【請求項１５】
前記少なくとも１つの特徴は、前記ワイヤレスデバイス（４４）のためのデータチャネルおよびグラントのうちの少なくとも１つについての送信モードを含む、請求項１２から１４のいずれか一項に記載のワイヤレスデバイス（４４）。
【請求項１６】
前記処理回路要素（４８）は、
前記ｓＰＤＣＣＨの周波数リソース上の前記設定を受信するようにさらに設定され、前記周波数リソースは前記ｓＰＤＣＣＨのための前記時間リソースとは独立に設定される、
請求項１２から１５のいずれか一項に記載のワイヤレスデバイス（４４）。
【請求項１７】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである、請求項１６に記載のワイヤレスデバイス（４４）。
【請求項１８】
処理回路要素（４８）は、
前記ｓＰＤＣＣＨの周波数リソース上の前記設定を受信するようにさらに設定され、前記周波数リソースは、前記ｓＰＤＣＣＨの前記時間リソースに基づいて設定される、
請求項１２から１５のいずれか一項に記載のワイヤレスデバイス（４４）。
【請求項１９】
前記ｓＰＤＣＣＨは復調用参照信号（ＤＭＲＳ）に基づく、請求項１２から１８のいずれか一項に記載のワイヤレスデバイス（４４）。
【請求項２０】
前記ｓＰＤＣＣＨは、２シンボルＴＴＩのために設定されたダウンリンクサブフレームの一部であり、前記ダウンリンクサブフレームは２シンボルｓＰＤＣＣＨおよび３シンボルｓＰＤＣＣＨの両方を含むように設定される、請求項１２から１９のいずれか一項に記載のワイヤレスデバイス（４４）。
【請求項２１】
ショート物理ダウンリンク制御チャネル（ｓＰＤＣＣＨ）内に示されるリソース上でワイヤレスデバイス（４４）が送信するための方法であって、
前記ｓＰＤＣＣＨの時間リソース上の設定を受信すること（Ｓ１０４）であって、前記時間リソースは送信に関連付けられた少なくとも１つの特徴に基づいており、
送信に関連付けられた前記少なくとも１つの特徴は、サブスロット送信持続時間を含み、
前記ｓＰＤＣＣＨは、２シンボルサブスロット送信持続時間に対応する２シンボルｓＰＤＣＣＨであり、前記ｓＰＤＣＣＨは、３シンボルサブスロット送信持続時間に対応する３シンボルｓＰＤＣＣＨである、前記ｓＰＤＣＣＨの時間リソース上の設定を受信すること（Ｓ１０４）、および
前記設定に従って送信すること（Ｓ１０６）、
を含む、方法。
【請求項２２】
前記ｓＰＤＣＣＨの前記時間リソースは、サブスロット内に前記ｓＰＤＣＣＨのいくつかのシンボルを含む、請求項２１に記載の方法。
【請求項２３】
前記少なくとも１つの特徴は参照信号オーバーヘッドまたはサブスロット長さを含む、請求項２１または２２に記載の方法。
【請求項２４】
前記少なくとも１つの特徴は、前記ワイヤレスデバイス（４４）のための、データチャネルおよびグラントのうちの少なくとも１つについての送信モードを含む、請求項２１から２３のいずれか一項に記載の方法。
【請求項２５】
前記ｓＰＤＣＣＨの周波数リソース上の前記設定を受信することをさらに含み、前記周波数リソースは前記ｓＰＤＣＣＨのための前記時間リソースとは独立に設定される、請求項２１から２４のいずれか一項に記載の方法。
【請求項２６】
２シンボルｓＰＤＣＣＨにおけるショート制御チャネルエレメント（ｓＣＣＥ）に使用される周波数リソースは、３シンボルｓＰＤＣＣＨにおけるｓＣＣＥに使用される周波数リソースと同じである、請求項２５に記載の方法。
【請求項２７】
前記ｓＰＤＣＣＨは復調用参照信号（ＤＭＲＳ）に基づく、請求項２１から２６のいずれか一項に記載の方法。
【請求項２８】
前記ｓＰＤＣＣＨは、２シンボルＴＴＩのために設定されたダウンリンクサブフレームの一部であり、前記ダウンリンクサブフレームは２シンボルｓＰＤＣＣＨおよび３シンボルｓＰＤＣＣＨの両方を含むように設定される、請求項２１から２７のいずれか一項に記載の方法。
【請求項２９】
ショート物理ダウンリンク制御チャネル（ｓＰＤＣＣＨ）のためにリソースを設定するためのネットワークノード（３０）であって、
処理回路要素（３４）を備え、前記処理回路要素（３４）は、
前記ｓＰＤＣＣＨのためのリソースを決定するように設定され、前記リソースは少なくとも１つのショートリソースエレメントグループ（ｓＲＥＧ）を含み、各ｓＲＥＧは、セル特有の参照信号（ＣＲＳ）のためのリソースエレメント（ＲＥ）、および／またはＤＭＲＳベースｓＰＤＣＣＨ内で使用するための復調用参照信号（ＤＭＲＳ）を含む１つの直交周波数分割多重化（ＯＦＤＭ）シンボル内に、１つのリソースブロック（ＲＢ）を含み、
送信に関連付けられた前記少なくとも１つの特徴は、サブスロット送信持続時間を含み、
前記ｓＰＤＣＣＨは、２シンボルサブスロット送信持続時間に対応する２シンボルｓＰＤＣＣＨであり、前記ｓＰＤＣＣＨは、３シンボルサブスロット送信持続時間に対応する３シンボルｓＰＤＣＣＨであり、
さらに前記処理回路要素（３４）は、
前記ｓＰＤＣＣＨのための前記リソースを使用してワイヤレスデバイス（４４）を設定するように設定される、
ネットワークノード（３０）。
【請求項３０】
前記少なくとも１つのｓＲＥＧは、ショート制御チャネルエレメント（ｓＣＣＥ）当たりいくつかのｓＲＥＧを含み、ｓＣＣＥ当たりの前記ｓＲＥＧの数は、２シンボルｓＰＤＣＣＨにおけるＤＭＲＳベースｓＰＤＣＣＨの場合は４であるか、または、３シンボルｓＰＤＣＣＨにおけるＤＭＲＳベースｓＰＤＣＣＨの場合は６であり、または、
リソースは周波数リソースを含み、３シンボルｓＰＤＣＣＨ内のｓＣＣＥに使用される前記周波数リソースは、２シンボルｓＰＤＣＣＨ内のｓＣＣＥに使用される周波数リソースに対応する、請求項２９に記載のネットワークノード（３０）。
【国際調査報告】
2020505881.tif 000032
2020505881.tif 000033